(57)【要約】【課題】利便性の高い装置を提供する。【解決手段】  パーティションTVは、画像を表示するディスプレイパネル３、ユーザからの操作入力を受け付けるリモコンI/F、およびアクチュエータを駆動することにより、ディスプレイパネル３を移動させる駆動制御部を有し、駆動制御部は、リモコンI/Fにおいて受け付けられた操作入力に基づいて、ディスプレイパネル３を移動させることにより、パーティションとしての配置状態を変更する。本発明は、例えば、パーティション（ついたて）またはテレビジョン受像機に適用できる。【選択図】図７
2006084894.tif 000002
【特許請求の範囲】
【請求項１】
画像を表示する装置と、ついたてとの両方として機能する画像表示装置であって、
画像を表示する画像表示手段と、
ユーザからの操作入力を受け付ける受付手段と、
前記画像表示手段を移動させるためのアクチュエータを駆動することにより、前記画像表示手段を移動させる駆動制御手段と
を備え、
前記駆動制御手段は、前記受付手段において受け付けられた前記操作入力に基づいて、前記画像表示手段を移動させることにより、前記ついたてとしての配置状態を変更する
ことを特徴とする画像表示装置。
【請求項２】
請求項１に記載の画像表示装置おいて、
前記画像表示手段に表示される画像の動きに関する動き情報を検出する動き検出手段をさらに備え、
動作モードとして、画像を表示する装置として機能する表示モードと、ついたてとして機能するついたてモードとのうちの、前記ついたてモードが有効にされた場合、前記駆動制御手段は、前記操作入力に基づいて、前記画像表示手段を移動させ、
前記動作モードとして、前記表示モードが有効にされた場合、前記駆動制御手段は、前記動き検出手段において検出された動き情報に基づいて、前記画像表示手段を移動させる
ことを特徴とする画像表示装置。
【請求項３】
請求項２に記載の画像表示装置おいて、
前記動作モードとして、前記ついたてモードが有効にされている場合に、前記表示モードが有効にされたときには、前記駆動制御手段は、前記表示モードが有効にされたときの前記画像表示手段の位置を基準として、前記動き情報に基づき、前記画像表示手段を移動させる
ことを特徴とする画像表示装置。
【請求項４】
請求項２に記載の画像表示装置おいて、
前記動作モードとして、前記ついたてモードが有効にされている場合に、前記表示モードが有効にされたときには、前記駆動制御手段は、前記画像表示手段を、デフォルトの位置に移動し、そのデフォルトの位置を基準として、前記動き情報に基づき、前記画像表示手段を移動させる
ことを特徴とする画像表示装置。
【請求項５】
請求項２に記載の画像表示装置おいて、
前記動作モードとして、前記表示モードが有効にされている場合に、前記ついたてモードが有効にされたときには、前記駆動制御手段は、前記操作入力に基づいて、前記画像表示手段を移動させる
ことを特徴とする請求項２に記載の画像表示装置。
【請求項６】
請求項２に記載の画像表示装置において、
前記画像表示手段に表示される画像の画像信号を、その画像より高品質の他の画像の他の画像信号に変換する変換手段をさらに備え、
前記変換手段は、
前記画像信号に基づいて、前記他の画像の画素を、複数のクラスのいずれかのクラスにクラス分けするクラス分類を行い、前記画素のクラスを表すクラスコードを出力するクラス分類手段と、
前記複数のクラスそれぞれごとに、学習により得られたタップ係数を記憶し、前記クラス分類手段が出力するクラスコードが表すクラスのタップ係数を出力するタップ係数出力手段と、
前記タップ係数出力手段が出力するタップ係数と、前記画像信号とに基づく演算を行うことにより、前記他の画像の画素の画素値を求める演算手段と
を有する
ことを特徴とする画像表示装置。
【請求項７】
請求項６に記載の画像表示装置おいて、
前記タップ係数出力手段は、前記複数のクラスそれぞれごとのタップ係数であって、前記画像表示手段の位置ごとのタップ係数を記憶しており、前記クラス分類手段が出力するクラスコードが表すクラスのタップ係数であって、前記画像表示手段の位置に対応するタップ係数を出力する
ことを特徴とする画像表示装置。
【請求項８】
画像を表示する装置と、ついたてとの両方として機能する画像表示装置を制御する制御方法であって、
ユーザからの操作入力を受け付ける受付ステップと、
画像を表示する画像表示手段を移動させるためのアクチュエータを駆動することにより、前記画像表示手段を移動させる駆動制御ステップと
を含み、
前記駆動制御ステップでは、前記受付ステップにおいて受け付けられた前記操作入力に基づいて、前記画像表示手段を移動させることにより、前記ついたてとしての配置状態を変更する
ことを特徴とする制御方法。
【請求項９】
請求項８に記載の制御方法おいて、
前記画像表示手段に表示される画像の動きに関する動き情報を検出する動き検出ステップをさらに含み、
動作モードとして、画像を表示する装置として機能する表示モードと、ついたてとして機能するついたてモードとのうちの、前記ついたてモードが有効にされた場合、前記駆動制御ステップでは、前記操作入力に基づいて、前記画像表示手段を移動させ、
前記動作モードとして、前記表示モードが有効にされた場合、前記駆動制御ステップでは、前記動き検出ステップにおいて検出された動き情報に基づいて、前記画像表示手段を移動させる
ことを特徴とする制御方法。
【請求項１０】
信号を処理する装置と、家具との両方として機能する信号処理装置であって、
入力される信号を信号処理する信号処理手段と、
ユーザからの操作入力を受け付ける受付手段と、
前記信号処理手段による信号処理において得られる信号、または前記受付手段において受け付けられた前記操作入力に基づいて、前記信号処理装置を駆動する駆動手段を制御する駆動制御手段と
を備えることを特徴とする信号処理装置。
【発明の詳細な説明】
【技術分野】
【０００１】
本発明は、画像表示装置および制御方法、並びに信号処理装置に関し、特に、例えば、画像を表示する装置とついたてとの両方などの複数の物として機能する利便性の高い装置を提供することができるようにする画像表示装置および制御方法、並びに信号処理装置に関する。
【背景技術】
【０００２】
例えば、従来のテレビジョン受像機は、専ら、画像を表示する装置（および音声を出力する装置）として機能する。画像を表示する装置としてしか機能しないテレビジョン受像機は、例えば、部屋の中のある位置に置かれて使用される。
【０００３】
このように、部屋の中のある位置に置かれたテレビジョン受像機は、基本的には、動かす必要はないが、場合によっては、ユーザが、テレビジョン受像機の画面の向き（画面の法線方向）を、ユーザ自身の位置への方向に変えたいことがある。そこで、そのような画面の向きを変えることができる、いわゆるテレビ台がある。
【０００４】
また、横たわってテレビジョン放送番組を視聴するユーザ等のために、テレビジョン受像機の画面の法線方向の軸回りに、テレビジョン受像機を回転させることができるテレビ台も提案されている（例えば、特許文献１参照）。
【０００５】
【特許文献１】実開平6-73976号公報。
【発明の開示】
【発明が解決しようとする課題】
【０００６】
上述したように、従来のテレビジョン受像機は、専ら、画像を表示する装置としてしか機能しない。
【０００７】
本発明は、このような状況に鑑みてなされたものであり、例えば、画像を表示する装置とついたてとの両方などの複数の物として機能する利便性の高い装置を提供することができるようにするものである。
【課題を解決するための手段】
【０００８】
本発明の画像表示装置は、画像を表示する装置と、ついたてとの両方として機能する画像表示装置であって、画像を表示する画像表示手段と、ユーザからの操作入力を受け付ける受付手段と、画像表示手段を移動させるためのアクチュエータを駆動することにより、画像表示手段を移動させる駆動制御手段とを備え、駆動制御手段は、受付手段において受け付けられた操作入力に基づいて、画像表示手段を移動させることにより、ついたてとしての配置状態を変更することを特徴とする。
【０００９】
この画像表示装置には、画像表示手段に表示される画像の動きに関する動き情報を検出する動き検出手段をさらに設けることができる。この場合、動作モードとして、画像を表示する装置として機能する表示モードと、ついたてとして機能するついたてモードとのうちの、ついたてモードが有効にされたときには、駆動制御手段には、操作入力に基づいて、画像表示手段を移動させるようにすることができ、動作モードとして、表示モードが有効にされたときには、駆動制御手段には、動き検出手段において検出された動き情報に基づいて、画像表示手段を移動させるようにすることができる。
【００１０】
動作モードとして、ついたてモードが有効にされている場合に、表示モードが有効にされたときには、駆動制御手段には、表示モードが有効にされたときの画像表示手段の位置を基準として、動き情報に基づき、画像表示手段を移動させるようにすることができる。
【００１１】
また、動作モードとして、ついたてモードが有効にされている場合に、表示モードが有効にされたときには、駆動制御手段には、画像表示手段を、デフォルトの位置に移動させ、そのデフォルトの位置を基準として、動き情報に基づき、画像表示手段を移動させるようにすることができる。
【００１２】
動作モードとして、表示モードが有効にされている場合に、ついたてモードが有効にされたときには、駆動制御手段には、操作入力に基づいて、画像表示手段を移動させるようにすることができる。
【００１３】
本発明の画像表示装置には、画像表示手段に表示される画像の画像信号を、その画像より高品質の他の画像の他の画像信号に変換する変換手段をさらに設けることができ、変換手段には、画像信号に基づいて、他の画像の画素を、複数のクラスのいずれかのクラスにクラス分けするクラス分類を行い、画素のクラスを表すクラスコードを出力するクラス分類手段と、  複数のクラスそれぞれごとに、学習により得られたタップ係数を記憶し、クラス分類手段が出力するクラスコードが表すクラスのタップ係数を出力するタップ係数出力手段と、タップ係数出力手段が出力するタップ係数と、画像信号とに基づく演算を行うことにより、他の画像の画素の画素値を求める演算手段とを設けることができる。
【００１４】
タップ係数出力手段には、複数のクラスそれぞれごとのタップ係数であって、画像表示手段の位置ごとのタップ係数を記憶させておき、クラス分類手段が出力するクラスコードが表すクラスのタップ係数であって、画像表示手段の位置に対応するタップ係数を出力させることができる。
【００１５】
本発明の制御方法は、画像を表示する装置と、ついたてとの両方として機能する画像表示装置を制御する制御方法であって、ユーザからの操作入力を受け付ける受付ステップと、画像を表示する画像表示手段を移動させるためのアクチュエータを駆動することにより、画像表示手段を移動させる駆動制御ステップとを含み、駆動制御ステップでは、受付ステップにおいて受け付けられた操作入力に基づいて、画像表示手段を移動させることにより、ついたてとしての配置状態を変更することを特徴とする。
【００１６】
この制御方法には、画像表示手段に表示される画像の動きに関する動き情報を検出する動き検出ステップをさらに含ませることができ、動作モードとして、画像を表示する装置として機能する表示モードと、ついたてとして機能するついたてモードとのうちの、ついたてモードが有効にされた場合、駆動制御ステップでは、操作入力に基づいて、画像表示手段を移動させ、動作モードとして、表示モードが有効にされた場合、駆動制御ステップでは、動き検出ステップにおいて検出された動き情報に基づいて、画像表示手段を移動させることができる。
【００１７】
本発明の信号処理装置は、信号を処理する装置と、家具との両方として機能する信号処理装置であって、入力される信号を信号処理する信号処理手段と、ユーザからの操作入力を受け付ける受付手段と、信号処理手段による信号処理において得られる信号、または受付手段において受け付けられた操作入力に基づいて、信号処理装置を駆動する駆動手段を制御する駆動制御手段とを備えることを特徴とする。
【００１８】
本発明の画像表示装置および制御方法においては、画像を表示する装置と、ついたてとの両方として機能する画像表示装置において、ユーザからの操作入力が受け付けられ、その操作入力に基づき、画像を表示する画像表示手段を移動させるためのアクチュエータを駆動して、画像表示手段を移動させることにより、ついたてとしての配置状態が変更される。
【００１９】
本発明の信号処理装置においては、信号を処理する装置と、家具との両方として機能する信号処理装置において、ユーザからの操作入力を受け付けられ、信号を信号処理する信号処理手段による信号処理において得られる信号、または操作入力に基づいて、信号処理装置を駆動する駆動手段が制御される。
【発明の効果】
【００２０】
本発明によれば、例えば、画像を表示する装置とついたてとの両方などの複数の物として機能する利便性の高い装置を提供することが可能となる。
【発明を実施するための最良の形態】
【００２１】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２３】
請求項１に記載の画像表示装置は、
画像を表示する装置と、ついたてとの両方として機能する画像表示装置（例えば、図１や図５のパーティションTV）であって、
画像を表示する画像表示手段（例えば、図５のディスプレイパネル３）と、
ユーザからの操作入力を受け付ける受付手段（例えば、図８のリモコンI/F３４）と、
前記画像表示手段を移動させるためのアクチュエータを駆動することにより、前記画像表示手段を移動させる駆動制御手段（例えば、図８の駆動制御部４２）と
を備え、
前記駆動制御手段は、前記受付手段において受け付けられた前記操作入力に基づいて、前記画像表示手段を移動させることにより、前記ついたてとしての配置状態を変更する
ことを特徴とする。
【００２４】
請求項２に記載の画像表示装置は、
請求項１に記載の画像表示装置おいて、
前記画像表示手段に表示される画像の動きに関する動き情報を検出する動き検出手段（例えば、図８の動きベクトル検出部４１）をさらに備え、
動作モードとして、画像を表示する装置として機能する表示モードと、ついたてとして機能するついたてモードとのうちの、前記ついたてモードが有効にされた場合、前記駆動制御手段は、前記操作入力に基づいて、前記画像表示手段を移動させ、
前記動作モードとして、前記表示モードが有効にされた場合、前記駆動制御手段は、前記動き検出手段において検出された動き情報に基づいて、前記画像表示手段を移動させる
ことを特徴とする。
【００２５】
請求項６に記載の画像表示装置は、
請求項２に記載の画像表示装置において、
前記画像表示手段に表示される画像の画像信号を、その画像より高品質の他の画像の他の画像信号に変換する変換手段（例えば、図８のDRC部１７）をさらに備え、
前記変換手段は、
前記画像信号に基づいて、前記他の画像の画素を、複数のクラスのいずれかのクラスにクラス分けするクラス分類を行い、前記画素のクラスを表すクラスコードを出力するクラス分類手段（例えば、図９のクラス分類部５２）と、
前記複数のクラスそれぞれごとに、学習により得られたタップ係数を記憶し、前記クラス分類手段が出力するクラスコードが表すクラスのタップ係数を出力するタップ係数出力手段（他とＥｂあ、図９の係数発生部５５）と、
前記タップ係数出力手段が出力するタップ係数と、前記画像信号とに基づく演算を行うことにより、前記他の画像の画素の画素値を求める演算手段（例えば、図９の予測演算部５６）と
を有する
ことを特徴とする。
【００２６】
請求項８に記載の制御方法は、
画像を表示する装置と、ついたてとの両方として機能する画像表示装置（例えば、図１や図５のパーティションTV）を制御する制御方法であって、
ユーザからの操作入力を受け付ける受付ステップ（例えば、図１４のステップＳ３１）と、
画像を表示する画像表示手段を移動させるためのアクチュエータを駆動することにより、前記画像表示手段を移動させる駆動制御ステップ（例えば、図１４のステップＳ３２）と
を含み、
前記駆動制御ステップでは、前記受付ステップにおいて受け付けられた前記操作入力に基づいて、前記画像表示手段を移動させることにより、前記ついたてとしての配置状態を変更する
ことを特徴とする。
【００２７】
請求項９に記載の制御方法は、
請求項８に記載の制御方法おいて、
前記画像表示手段に表示される画像の動きに関する動き情報を検出する動き検出ステップ（例えば、図１５のステップＳ４２や、図１６のステップＳ５７）をさらに含み、
動作モードとして、画像を表示する装置として機能する表示モードと、ついたてとして機能するついたてモードとのうちの、前記ついたてモードが有効にされた場合、前記駆動制御ステップでは、前記操作入力に基づいて、前記画像表示手段を移動させ、
前記動作モードとして、前記表示モードが有効にされた場合、前記駆動制御ステップでは、前記動き検出ステップにおいて検出された動き情報に基づいて、前記画像表示手段を移動させる
ことを特徴とする。
【００２８】
請求項１０に記載の信号処理装置は、
信号を処理する装置と、家具との両方として機能する信号処理装置（例えば、図１や図５のパーティションTV）であって、
入力される信号を信号処理する信号処理手段（例えば、図８の動きベクトル検出部４１）と、
ユーザからの操作入力を受け付ける受付手段（例えば、図８のリモコンI/F３４）と、
前記信号処理手段による信号処理において得られる信号、または前記受付手段において受け付けられた前記操作入力に基づいて、前記信号処理装置を駆動する駆動手段（例えば、図８のアクチュエータ４３）を制御する駆動制御手段（例えば、図８の駆動制御部４２）と
を備えることを特徴とする。
【００２９】
以下、図面を参照して、本発明の実施の形態について説明する。
【００３０】
図１は、本発明を適用したパーティションTV(Partition Television)の一実施の形態の構成例を示す斜視図である。
【００３１】
パーティションTVは、画像を表示する装置と、パーティション（ついたて）との両方として機能するテレビジョン受像機（画像表示装置）である。
【００３２】
パーティションTVでは、例えば、架台１の上に、円形状の天板２が、その円の中心点を中心として回転可能なように取り付けされている。さらに、天板２の上には、ディスプレイパネル３と支えパネル４とが設けられている。
【００３３】
ディスプレイパネル３は、長方形の平板状に構成されており、（長方形の）一方の面に、画像を表示する表示部３Ａを有する。表示部３Ａは、例えば、液晶パネルで構成され、あるいは、プラズマ方式で画像を表示する。
【００３４】
支えパネル４は、ディスプレイパネル３と同様に、長方形の平板状に構成されたパネルで、その（長方形の）一方の面内の左側と右側の端の方に、垂直方向に延びる軸４Ｌと４Ｒが、それぞれ設けられている。また、支えパネル４は、天板２の直径上に、天板２と直交するように固定されている。
【００３５】
そして、ディスプレイパネル３が支えパネル４の軸４Ｌと４Ｒに沿って垂直方向に移動することができるように、かつ、ディスプレイパネル３の表示部３Ａが設けられていない他方の面が支えパネル４と対向するように、ディスプレイパネル３が、支えパネル４に対して取り付けられている。
【００３６】
従って、ディスプレイパネル３は、天板２が回転することにより、その天板２の中心点を中心として、左回り、または右回りに回転（移動）することができる。さらに、ディスプレイパネル３は、支えパネル４の軸４Ｌと４Ｒに沿って、垂直方向に移動することができる。
【００３７】
即ち、図１のパーティションTVには、天板２、ひいては、ディスプレイパネル３を、左回り、または右回りに回転させ、さらには、ディスプレイパネル３を垂直方向に移動させるための必要なアクチュエータ（図１には図示せず）が設けられている。このアクチュエータは、例えば、ユーザがリモコン（リモートコマンダ）１０を操作することにより駆動することができ、アクチュエータが駆動することにより、ディスプレイパネル３が移動される。
【００３８】
次に、図２は、ディスプレイパネル３が、軸４Ｌと４Ｒに沿って垂直（上）方向に移動した状態の図１のパーティションTVを示している。
【００３９】
ディスプレイパネル３は、上方向に移動した状態であっても、天板２が回転することにより、左回り、または右回りに回転することができる。
【００４０】
次に、図３および図４を参照して、パーティションTVのパーティションとしての機能について説明する。
【００４１】
図３は、パーティションTVの設置状態の例を示している。
【００４２】
なお、図３は（後述する図４も同様）、パーティションTVが設置された部屋Rの上面図を示している。
【００４３】
パーティションTVは、例えば、１つの部屋Rを、２つの空間（部屋）S1とS2に分けて使用したい場合に、その２つの空間S1とS2との境界線上を、天板２の中心点が通るように配置される。なお、天板２が床の高さに一致するように、架台１は、床下に埋め込まれる。
【００４４】
図３に示すように、ディスプレイパネル３（および支えパネル４）を、２つの空間S1とS2との境界線に沿った配置状態となるように移動することにより、１つの部屋Rを、２つの空間S1とS2に分けることができる。また、図３に示した配置状態において、ディスプレイパネル３を下方向に移動すれば、空間S1とS2との関係（結合関係）を、いわば密にすることができ、ディスプレイパネル３を上方向に移動すれば、空間S1とS2との関係を、いわば粗にすることができる。即ち、ディスプレイパネル３を上方向に移動することにより、空間S1とS2とを、より明確に区切ることができる。
【００４５】
図４は、パーティションTVの設置状態の他の例を示している。
【００４６】
図４においては、ディスプレイパネル３が、図３に示した配置状態から、右回り（時計回り）に回転した状態になっている。この場合、部屋Rの左側と右側には、それぞれ、空間S1とS2との間を行き来するための通路WLとWRが確保される。
【００４７】
次に、図５は、本発明を適用したパーティションTVの他の一実施の形態の構成例を示す斜視図である。なお、図中、図１における場合と対応する部分については、同一の符号を付してあり、以下では、その説明は、適宜省略する。即ち、図５のパーティションTVは、ディスプレイパネル３と支えパネル４との間に、支えパネル５が、新たに設けられている他は、図１における場合と基本的に同様に構成されている。
【００４８】
図１のパーティションTVでは、ディスプレイパネル３が、支えパネル４に取り付けられていたが、図５のパーティションTVでは、ディスプレイパネル３が、支えパネル５に取り付けられているとともに、支えパネル５が、天板２に固定されている支えパネル４に取り付けられている。
【００４９】
即ち、支えパネル５は、ディスプレイパネル３や支えパネル４と同様に、長方形の平板状に構成されたパネルで、その（長方形の）一方の面内の上側と下側の端の方に、水平方向に延びる軸５Ｕと５Ｄが、それぞれ設けられている。
【００５０】
そして、ディスプレイパネル３が支えパネル５の軸５Ｕと５Ｄに沿って水平方向に移動することができるように、かつ、ディスプレイパネル３の表示部３Ａが設けられていない他方の面が支えパネル５と対向するように、ディスプレイパネル３が、支えパネル５に対して取り付けられている。
【００５１】
さらに、支えパネル５が支えパネル４の軸４Ｌと４Ｒに沿って垂直方向に移動することができるように、かつ、支えパネル５の、ディスプレイパネル３が取り付けられていない他方の面が支えパネル４と対向するように、支えパネル５が、天板２に固定された支えパネル４に対して取り付けられている。
【００５２】
従って、ディスプレイパネル３は、図１における場合と同様に、天板２が回転することにより、その天板２の中心点を中心として、左回り、または右回りに回転することができる。また、支えパネル５が、支えパネル４の軸４Ｌと４Ｒに沿って垂直方向に移動することにより、支えパネル５に取り付けられているディスプレイパネル３も、垂直方向に移動することができる。さらに、ディスプレイパネル３は、支えパネル５の軸５Ｕと５Ｄに沿って水平方向に移動することができる。
【００５３】
即ち、図５のパーティションTVには、ディスプレイパネル３を、左回り、または右回りに回転させ、さらには、ディスプレイパネル３を垂直方向と水平方向に移動させるための必要なアクチュエータ（図５には図示せず）が設けられている。このアクチュエータは、例えば、ユーザがリモコン１０を操作することにより駆動することができ、アクチュエータが駆動することにより、ディスプレイパネル３が移動される。
【００５４】
次に、図６は、ディスプレイパネル３が、軸５Ｕと５Ｄに沿って水平（右）方向に移動した状態の図５のパーティションTVを示している。
【００５５】
ディスプレイパネル３は、水平方向に移動した状態であっても、天板２が回転することにより、左回り、または右回りに回転することができる。
【００５６】
次に、図７は、ディスプレイパネル３が、軸５Ｕと５Ｄに沿って水平（右）方向に移動し、さらに、支えパネル５が、軸４Ｌと４Ｒに沿って垂直（上）方向に移動することにより、その支えパネル５に取り付けられているディスプレイパネル３も上方向に移動した状態の図５のパーティションTVを示している。
【００５７】
ディスプレイパネル３が、軸５Ｕと５Ｄに沿って右方向に移動し、さらに、ディスプレイパネル３が取り付けられている支えパネル５が、軸４Ｌと４Ｒに沿って上方向に移動することにより、結果として、ディスプレイパネル３を、右上方向に移動することができる。
【００５８】
その他、図５のパーティションTVにおいては、ディスプレイパネル３を、天板２と直交する平面内の方向に移動することができる。
【００５９】
なお、図５のパーティションTVにおいて、ディスプレイパネル３は、例えば、図７に示したように、右上方向に移動した状態であっても、天板２が回転することにより、左回り、または右回りに回転することができる。
【００６０】
次に、図８は、図１や図５のパーティションTVの電気的構成例を示すブロック図である。
【００６１】
チューナ１１には、図示せぬアンテナが受信したディジタル放送の放送信号が供給される。このディジタル放送の放送信号は、例えば、MPEG(Moving Picture Experts Group)-2等に規定されるディジタルデータであり、複数のTS（Transport Stream:トランスポートストリーム）パケットで構成されるトランスポートストリームの放送信号である。チューナ１１は、コントローラ３１の制御に基づいて、アンテナから供給される複数のチャンネルの放送信号の中から、所定のチャンネル（周波数）の放送信号を選択し、その選択したチャンネルの放送信号を復調部１２に供給する。
【００６２】
復調部１２は、コントローラ３１の制御に基づいて、チューナ１１から供給される所定のチャンネルの放送信号のトランスポートストリームを、例えば、QPSK(Quadrature Phase Shift Keying)復調等し、それにより得られたトランスポートストリームをエラー訂正処理部１３に供給する。
【００６３】
エラー訂正処理部１３では、コントローラ３１の制御に基づいて、復調部１２から供給されたトランスポートストリームについて、エラーが検出、訂正される。そして、訂正処理後のトランスポートストリームが、デマルチプレクサ１４に供給される。
【００６４】
デマルチプレクサ１４は、コントローラ３１の制御に基づいて、エラー訂正処理部１３から供給されるトランスポートストリームを、必要に応じて、デスクランブル処理する。また、デマルチプレクサ１４は、コントローラ３１の制御に基づいて、TSパケットのPID（Packet Identifier：パケット識別子）を参照することにより、エラー訂正処理部１３から供給されるトランスポートストリームから、特定の番組のTSパケットを抽出する。
【００６５】
そして、デマルチプレクサ１４は、その特定の番組のTSパケットのうち、ビデオデータ（が配置されたTSパケット）をビデオデコーダ１５に、オーディオデータ（が配置されたTSパケット）をオーディオデコーダ１６に、それぞれ供給する。
【００６６】
ビデオデコーダ１５は、デマルチプレクサ１４から供給されるビデオデータをMPEG-2方式でデコードし、DRC(Digital Reality Creation)部１７、合成部１８、および動きベクトル検出部４１に供給する。
【００６７】
オーディオデコーダ１６は、デマルチプレクサ１４から供給されるオーディオデータをMPEG-2方式でデコードし、スピーカ２０に供給して出力させる。
【００６８】
DRC部１７は、ビデオデコーダ１５が出力する画像信号（ビデオデータ）を第１の画像信号として、その第１の画像信号を、第２の画像信号としての高品質の画像信号（ビデオデータ）に変換する。そして、DRC部１７は、高品質の画像信号を合成部１８に供給（出力）する。なお、以下において、高品質の画像信号は、例えば、画像信号の解像度を向上させた高画質の画像信号を表すものとする。
【００６９】
合成部１８は、DRC部１７から画像信号が供給される場合は、その画像信号を選択する。一方、DRC部１７から画像信号が供給されない場合は、合成部１８は、ビデオデコーダ１５から供給される画像信号を選択する。また、合成部１８は、ビデオデコーダ１５またはDRC部１７から供給される画像信号のうちの選択した方に、OSD(On Screen Display)部１９から供給される画像信号を重畳して、表示部３Ａに供給して表示させる。なお、OSD部１９から画像信号が供給されない場合には、合成部１８は、ビデオデコーダ１５またはDRC部１７から供給された画像信号のうちの選択した方を、そのまま表示部３Ａに供給して表示させる。
【００７０】
OSD部１９は、コントローラ３１の制御に基づいて、例えば、現在選択されているチャンネルの番号や音量などの画像信号を生成し、合成部１８に供給する。
【００７１】
コントローラ３１は、CPU(Central Processing Unit)３１Ａ，ROM(Read Only Memory)３１Ｂ，RAM(Random Access Memory)３１Ｃ，EEPROM(Electrically Erasable and Programmable ROM)３１Ｄなどで構成される。CPU３１Ａは、ROM３１ＢやEEPROM３１Ｄに記憶されたプログラム、あるいはRAM３１Ｃにロードされたプログラムを実行する。ROM３１Ｂは、コントローラ３１に電源が供給されたときに、CPU３１Ａが最初に実行すべきプログラムや必要なデータを記憶している。EEPROM３１Ｄは、CPU３１Ａが実行する各種のアプリケーションプログラムや必要なデータを記憶する。RAM３１Ｃには、CPU３１Ａが実行するアプリケーションプログラムが、EEPROM３１Ｄからロードされ、また、CPU３１Ａの動作上必要なデータが記憶される。
【００７２】
なお、EEPROM３１Ｄは、アプリケーションプログラムの他、後述するフラグも記憶する。さらに、EEPROM３１Ｄは、パーティションTVの電源がオフにされた後も保持しておく必要のあるデータを記憶する。即ち、EEPROM３１Ｄは、例えば、電源がオフされる直前に選択されていたチャンネルや、設定されていた音量の情報などを記憶する。CPU３１Ａは、次に電源がオンにされた場合、EEPROM３１Ｄに記憶されたデータを参照して、チャンネルや、音量を、電源がオフされる直前に選択されていたチャンネルや、設定されていた音量に制御する。
【００７３】
コントローラ３１においては、CPU３１Ａが、ROM３１ＢやEEPROM３１Ｄに記憶されたプログラム、あるいはRAM３１Ｃにロードされたプログラムを実行することにより、後述する処理を含む各種の処理を行い、これにより、例えば、チューナ１１、復調部１２、エラー訂正処理部１３、デマルチプレクサ１４、ビデオデコーダ１５、オーディオデコーダ１６、DRC部１７、OSD部１９、および駆動制御部４２を制御する。また、コントローラ３１では、CPU３１Ａが、キー入力部３２やリモコンI/F３４から供給される、ユーザの操作に対応する操作信号（操作入力）に基づいて、各種の処理を実行する。
【００７４】
なお、CPU３１Ａに実行させるプログラムは、ROM３１ＢやEEPROM３１Ｄにあらかじめインストールしておくことができる。また、プログラムは、例えば、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体に、一時的あるいは永続的に格納（記録）し、いわゆるパッケージソフトウエアとして提供することができる。
【００７５】
さらに、プログラムは、ダウンロードサイトから、ディジタル衛星放送用の人工衛星を介して、パーティションTVに無線で転送したり、LAN(Local Area Network)、インターネットといったネットワークを介して、パーティションTVに有線で転送し、パーティションTVでは、そのようにして転送されてくるプログラムを、後述する通信I/F３６で受信し、EEPROM３１Ｄにインストールすることができる。
【００７６】
キー入力部３２は、例えば、スイッチボタンなどで構成され、ユーザが所望のチャンネルを選択する際の操作などを受け付け、そのユーザの操作に対応する操作信号をコントローラ３１に供給する。表示部３３は、コントローラ３１から供給される制御信号に基づいて、例えば、チューナ１１において選択されているチャンネルや、パーティションTVに設定されている情報などを表示する。
【００７７】
リモコンI/F（InterFace）３４は、受光部３５から供給される、ユーザの操作に対応する操作信号を受け付け、コントローラ３１に供給する。受光部３５は、リモコン１０から送信されるユーザの操作に対応する、赤外線や電波による操作信号を受信（受光）し、リモコンI/F３４に供給する。
【００７８】
通信I/F（InterFace）３６は、コントローラ３１の制御にしたがい、インターネットやLANなどのネットワークとの間の通信を制御し、データ（プログラムを含む）をネットワークに送信するとともに、ネットワークからのデータを受信する。
【００７９】
動きベクトル検出部４１は、ビデオデコーダ１５から供給される画像信号から、ディスプレイパネル３の表示部３Ａに表示される画像の動きに関する動き情報としての動きベクトルを検出し、駆動制御部４２に供給する。
【００８０】
即ち、動きベクトル検出部４１は、各フレーム（またはフィールド）の、いわゆる全画面動きを検出し、例えば、カメラを水平方向にパン(pan)し、あるいは垂直方向にチルト(tilt)すること等により撮影された画像の、そのパンやチルト等による全画面動きを表す動きベクトルを、駆動制御部４２に供給する。
【００８１】
なお、全画面動きを表す動きベクトルは、ビデオデコーダ１５から供給される画像信号から検出する他、例えば、ビデオデコーダ１５においてデコードの対象となるビデオデータに含まれる、マクロブロック単位の動きベクトルを用いて検出することも可能である。即ち、ビデオデコーダ１５においてデコードの対象となるビデオデータのうちの、P(Predictive)ピクチャやB(Bidirectionally predictive)ピクチャについては、１フレームを構成するマクロブロックすべての動きベクトルが、ほぼ同一である場合には、マクロブロックすべての動きベクトルの平均値や、そのうちの１つの動きベクトルを、全画面動きを表す動きベクトルとして検出することが可能である。
【００８２】
駆動制御部４２は、動きベクトル検出部４１からの動きベクトルや、コントローラ３１からの制御に基づいて、ディスプレイパネル３を移動させるためのアクチュエータ４３を駆動することにより、ディスプレイパネル３を移動させる。
【００８３】
アクチュエータ４３は、駆動制御部４２によって制御され、その駆動制御部４２からの制御にしたがって、天板２や、ディスプレイパネル３、支えパネル５を駆動し、これにより、ディスプレイパネル３を移動させる。アクチュエータ４３は、例えば、モータ等によって構成することができる。
【００８４】
以上のように構成されるパーティションTVでは、チューナ１１において、アンテナで受信されたディジタル放送の放送信号としてのトランスポートストリームの中から、特定のチャンネル（周波数帯域）のトランスポートストリームが選択され、復調部１２、およびエラー訂正処理部１３を介して、デマルチプレクサ１４に供給される。デマルチプレクサ１４は、コントローラ３１の制御にしたがい、そこに供給されるトランスポートストリームから、特定の番組のTSパケットを選択し、ビデオデータのTSパケットをビデオデコーダ１５に、オーディオデータのTSパケットをオーディオデコーダ１６に、それぞれ供給する。
【００８５】
ビデオデコーダ１５において、デマルチプレクサ１４から供給されるTSパケットのビデオデータがMPEGデコードされ、その結果得られる画像信号が、DRC部１７に供給される。DRC部１７では、ビデオデコーダ１５からの画像信号が、高品質の画像信号に変換され、表示部３Ａに供給される。これにより、表示部３Ａでは、高画質の画像が表示される。
【００８６】
また、オーディオデコーダ１６では、デマルチプレクサ１４から供給されるTSパケットのオーディオデータがMPEGデコードされ、その結果得られる音声信号が、スピーカ２０に供給されて出力される。
【００８７】
ビデオデコーダ１５において得られる画像信号は、DRC部１７の他、動きベクトル検出部４１にも供給される。動きベクトル検出部４１は、ビデオデコーダ１５からの画像信号から、フレーム単位で、全画面動きを表す動きベクトルを検出し、駆動制御部４２に供給する。
【００８８】
駆動制御部４２には、動きベクトル検出部４１からの動きベクトルに基づき、アクチュエータ４３を駆動し、これにより、ディスプレイパネル３は、動きベクトルにしたがって移動する。
【００８９】
また、駆動制御部４２には、コントローラ３１から操作信号が供給される。
【００９０】
即ち、ユーザが、ディスプレイパネル３を移動するように、リモコン１０を操作すると、その操作に対応した操作信号が、受光部３５で受信され、リモコンI/F３４に供給される。リモコンI/F３４は、受光部３５からの操作信号を受け付け、コントローラ３１に供給する。コントローラ３１は、リモコンI/F３４からの操作信号を、駆動制御部４２に供給する。
【００９１】
駆動制御部４２は、コントローラ３１からの操作信号に基づき、アクチュエータ４３を駆動し、これにより、ディスプレイパネル３は、ユーザによるリモコン１０の操作にしたがって移動する。
【００９２】
図９は、図８のDRC部１７の詳細な構成例を示すブロック図である。
【００９３】
DRC部１７は、上述したように、ビデオデコーダ１５が供給する画像信号を第１の画像信号として、その第１の画像信号を、第２の画像信号としての高品質（高画質）の画像信号（他の画像信号）に変換する。
【００９４】
即ち、DRC部１７では、ビデオデコーダ１５から供給される画像信号が、第１の画像信号として、予測タップ抽出部５１、および、クラス分類部５２のクラスタップ抽出部５３に供給される。
【００９５】
予測タップ抽出部５１は、第２の画像信号を構成する画素を、順次、注目画素とし、さらに、その注目画素の画素値を予測するのに用いる第１の画像信号を構成する画素（の画素値）の幾つかを、予測タップとして抽出する。
【００９６】
具体的には、予測タップ抽出部５１は、注目画素に対応する第１の画像信号の位置に対して、空間的または時間的に近い位置にある第１の画像信号の複数の画素（の画素値）を、第１の画像信号から、予測タップとして抽出し、予測演算部５６に供給する。
【００９７】
クラス分類部５２は、クラスタップ抽出部５３とクラスコード発生部５４とで構成され、ビデオデコーダ１５からの画像信号（第１の画像信号）に応じて、注目画素のクラス分類を行う。
【００９８】
即ち、クラスタップ抽出部５３は、注目画素を、複数のクラスのうちのいずれかのクラスにクラス分けするクラス分類を行うのに用いる第１の画像信号を構成する画素の幾つかを、クラスタップとして抽出する。
【００９９】
具体的には、クラスタップ抽出部５３は、注目画素に対応する第１の画像信号の位置に対して、空間的または時間的に近い位置にある第１の画像信号の複数の画素（の画素値）を、第１の画像信号から、クラスタップとして抽出し、クラスコード発生部５４に供給する。
【０１００】
なお、予測タップとクラスタップは、同一のタップ構造を有するものとすることも、異なるタップ構造を有するものとすることも可能である。
【０１０１】
クラスコード発生部５４は、クラスタップ抽出部５３からのクラスタップを構成する空間または時間方向に分布する画素のレベル（画素値）に基づき、注目画素を、複数のクラスのうちのいずれかのクラスに分類するクラス分類を行い、その結果得られる、注目画素のクラスを表すクラスコードを発生して、係数発生部５５に供給する。
【０１０２】
ここで、画素のレベルに基づいてクラス分類を行う方法としては、例えば、ADRC(Adaptive Dynamic Range Coding)等を採用することができる。
【０１０３】
ADRCを用いる方法では、クラスタップを構成する画素の画素値が、ADRC処理され、その結果得られるADRCコードにしたがって、注目画素のクラスが決定される。
【０１０４】
なお、KビットADRCにおいては、例えば、クラスタップを構成する画素の画素値の最大値MAXと最小値MINが検出され、DR=MAX-MINを、集合の局所的なダイナミックレンジとし、このダイナミックレンジDRに基づいて、クラスタップを構成する画素値がKビットに再量子化される。即ち、クラスタップを構成する各画素の画素値から、最小値MINが減算され、その減算値がDR/2Kで除算（量子化）される。そして、以上のようにして得られる、クラスタップを構成するKビットの各画素の画素値を、所定の順番で並べたビット列が、ADRCコードとして発生（出力）される。
【０１０５】
クラスコード発生部５４は、例えば、１ビットADRCを行い、その結果得られるADRCコードを、注目画素のクラスコードとして、係数発生部５５に出力する。
【０１０６】
係数発生部５５には、クラスコード発生部５４からクラスコードが供給される他、コントローラ３１から、ディスプレイパネル３の位置を表す位置情報が供給される。即ち、図８において、コントローラ３１は、駆動制御部４２から、アクチュエータ４３の駆動量の供給を受け、その駆動量から、ディスプレイパネル３の位置を求める。そして、コントローラ３１は、そのディスプレイパネル３の位置を表す位置情報を、係数発生部５５に供給する。
【０１０７】
ここで、コントローラ３１は、ディスプレイパネル３のある位置をデフォルトの位置として、そのデフォルトの位置を基準として、アクチュエータ４３の駆動量から、ディスプレイパネル３の位置を求める。ディスプレイパネル３のデフォルトの位置としては、例えば、天板２の回転角度が０度で、ディスプレイパネル３、さらには、支えパネル５が、天板２に固定された支えパネル４と同一の位置にある場合のディスプレイパネル３の位置などを採用することができる。
【０１０８】
係数発生部５５は、後述する学習によって求められたクラスごとのタップ係数であって、ディスプレイパネル３の複数の位置ごとのタップ係数を記憶している。そして、係数発生部５５は、コントローラ３１から供給される位置情報が表す位置に最も近い位置に対応する、クラスごとのタップ係数を選択し、さらに、そのクラスごとのタップ係数のうちの、クラスコード発生部５４から供給されるクラスコードに対応するクラスのタップ係数を、予測演算部５６に供給（出力）する。
【０１０９】
ここで、タップ係数とは、ディジタルフィルタにおける、いわゆるタップにおいて入力データと乗算される係数に相当するものである。
【０１１０】
予測演算部５６は、予測タップ抽出部５１が出力する予測タップと、係数発生部５５が出力するタップ係数とを取得し、その予測タップとタップ係数とを用いて、注目画素の真値の予測値を求める所定の予測演算を行う。これにより、予測演算部５６は、注目画素の画素値（の予測値）、即ち、第２の画像信号を構成する画素の画素値を求めて出力する。
【０１１１】
なお、ここでは、係数発生部５５には、学習によって求められたクラスごとのタップ係数を、ディスプレイパネル３の複数の位置別に記憶させるようにしたが、その他、係数発生部５５には、ディスプレイパネル３の位置に関係がない１セットのクラスごとのタップ係数を記憶させ、クラスコード発生部５４から供給されるクラスコードに対応するクラスのタップ係数を予測演算部５６に供給させるようにすることもできる。
【０１１２】
また、上述のDRC部１７と同様の構成を有する音声信号用のDRC部を、図８のパーティションTVのオーディオデコーダ１６とスピーカ２０との間にさらに設けるようにすることができる。この場合、新たに設けられた音声信号用のDRC部は、オーディオデコーダ１６の出力を、第１の音声信号として、その音声信号を、高品質（高音質）の第２の音声信号に変換し、スピーカ２０に供給する。
【０１１３】
次に、図９の予測演算部５６における予測演算と、その予測演算に用いられるタップ係数の学習について説明する。
【０１１４】
いま、高画質（高品質）の画像信号（高画質画像信号）を第２の画像信号とするとともに、その高画質画像信号をＬＰＦ(Low Pass Filter)によってフィルタリングする等してその画質（解像度）を低下させた低画質の画像信号（低画質画像信号）を第１の画像信号として、低画質画像信号から予測タップを抽出し、その予測タップとタップ係数を用いて、高画質画素の画素値を、所定の予測演算によって求める（予測する）ことを考える。
【０１１５】
いま、所定の予測演算として、例えば、線形１次予測演算を採用することとすると、高画質画素の画素値ｙは、次の線形１次式によって求められることになる。
【０１１６】
【数１】
2006084894.tif 000003
・・・（１）
【０１１７】
但し、式（１）において、ｘnは、高画質画素ｙについての予測タップを構成する、ｎ番目の低画質画像信号の画素（以下、適宜、低画質画素という）の画素値を表し、ｗnは、ｎ番目の低画質画素（の画素値）と乗算されるｎ番目のタップ係数を表す。なお、式（１）では、予測タップが、Ｎ個の低画質画素ｘ1，ｘ2，・・・，ｘNで構成されるものとしてある。
【０１１８】
ここで、高画質画素の画素値ｙは、式（１）に示した線形１次式ではなく、２次以上の高次の式によって求めるようにすることも可能である。
【０１１９】
いま、第ｋサンプルの高画質画素の画素値の真値をｙkと表すとともに、式（１）によって得られるその真値ｙkの予測値をｙk’と表すと、その予測誤差ｅkは、次式で表される。
【０１２０】
【数２】
2006084894.tif 000004
・・・（２）
【０１２１】
いま、式（２）の予測値ｙk’は、式（１）にしたがって求められるため、式（２）のｙk’を、式（１）にしたがって置き換えると、次式が得られる。
【０１２２】
【数３】
2006084894.tif 000005
・・・（３）
【０１２３】
但し、式（３）において、ｘn,kは、第ｋサンプルの高画質画素についての予測タップを構成するｎ番目の低画質画素を表す。
【０１２４】
式（３）（または式（２））の予測誤差ｅkを０とするタップ係数ｗnが、高画質画素を予測するのに最適なものとなるが、すべての高画質画素について、そのようなタップ係数ｗnを求めることは、一般には困難である。
【０１２５】
そこで、タップ係数ｗnが最適なものであることを表す規範として、例えば、最小自乗法を採用することとすると、最適なタップ係数ｗnは、次式で表される自乗誤差の総和Ｅを最小にすることで求めることができる。
【０１２６】
【数４】
2006084894.tif 000006
・・・（４）
【０１２７】
但し、式（４）において、Ｋは、高画質画素ｙkと、その高画質画素ｙkについての予測タップを構成する低画質画素ｘ1,k，ｘ2,k，・・・，ｘN,kとのセットのサンプル数（学習用のサンプルの数）を表す。
【０１２８】
式（４）の自乗誤差の総和Ｅの最小値（極小値）は、式（５）に示すように、総和Ｅをタップ係数ｗnで偏微分したものを０とするｗnによって与えられる。
【０１２９】
【数５】
2006084894.tif 000007
・・・（５）
【０１３０】
そこで、上述の式（３）をタップ係数ｗnで偏微分すると、次式が得られる。
【０１３１】
【数６】
2006084894.tif 000008
・・・（６）
【０１３２】
式（５）と（６）から、次式が得られる。
【０１３３】
【数７】
2006084894.tif 000009
・・・（７）
【０１３４】
式（７）のｅkに、式（３）を代入することにより、式（７）は、式（８）に示す正規方程式で表すことができる。
【０１３５】
【数８】
2006084894.tif 000010
・・・（８）
【０１３６】
式（８）の正規方程式は、例えば、掃き出し法（Gauss-Jordanの消去法）などを用いることにより、タップ係数ｗnについて解くことができる。
【０１３７】
式（８）の正規方程式をクラスごとにたてて解くことにより、最適なタップ係数（ここでは、自乗誤差の総和Ｅを最小にするタップ係数）ｗnを、クラスごとに求めることができる。
【０１３８】
図１０は、式（８）の正規方程式をたてて解くことによりクラスごとのタップ係数ｗnを求める学習を行う学習装置の構成例を示している。
【０１３９】
学習装置には、タップ係数ｗnの学習に用いられる学習用画像信号が入力されるようになっている。ここで、学習用画像信号としては、例えば、解像度の高い高画質画像信号を用いることができる。
【０１４０】
学習装置において、学習用画像信号は、教師データ生成部１０１と生徒データ生成部１０３に供給される。
【０１４１】
教師データ生成部１０１は、そこに供給される学習用画像信号から学習の教師（答え）となる教師データを生成し、教師データ記憶部１０２に供給する。即ち、ここでは、教師データ生成部１０１は、学習用画像信号としての高画質画像信号を、そのまま教師データとして、あるいは、高画質画像信号のコントラストを変換し、そのコントラストの変換後の高画質画像信号を、教師データとして、教師データ記憶部１０２に供給する。
【０１４２】
教師データ記憶部１０２は、教師データ生成部１０１から供給される教師データとしての高画質画像信号を記憶する。
【０１４３】
生徒データ生成部１０３は、学習用画像信号から学習の生徒となる生徒データを生成し、生徒データ記憶部１０４に供給する。即ち、生徒データ生成部１０３は、学習用画像信号としての高画質画像信号をフィルタリングすることにより、その解像度を低下させることで、低画質画像信号を生成し、生徒データとして、生徒データ記憶部１０４に供給する。
【０１４４】
生徒データ記憶部１０４は、生徒データ生成部１０３から供給される生徒データを記憶する。
【０１４５】
予測タップ抽出部１０５は、教師データ記憶部１０２に記憶された教師データとしての高画質画像信号を構成する画素を、順次、注目画素とし、その注目画素について、生徒データ記憶部１０４に記憶された生徒データとしての低画質画像信号を構成する低画質画素のうちの所定のものを抽出することにより、図９の予測タップ抽出部５１が構成するのと同一のタップ構造の予測タップを構成し、足し込み部１０８に供給する。
【０１４６】
クラスタップ抽出部１０６は、注目画素について、生徒データ記憶部１０４に記憶された生徒データとしての低画質画像信号を構成する低画質画素のうちの所定のものを抽出することにより、図９のクラスタップ抽出部５３が構成するのと同一のタップ構造のクラスタップを構成し、クラスコード発生部１０７に供給する。
【０１４７】
クラスコード発生部１０７は、クラスタップ抽出部１０６が出力するクラスタップに基づき、図９のクラスコード発生部５４と同一のクラス分類を行い、その結果得られるクラスに対応するクラスコードを、足し込み部１０８に出力する。
【０１４８】
足し込み部１０８は、教師データ記憶部１０２から、注目画素（の画素値）を読み出し、その注目画素と、予測タップ抽出部１０５から供給される注目画素について構成された予測タップを構成する生徒データとを対象とした足し込みを、クラスコード発生部１０７から供給されるクラスコードごとに行う。
【０１４９】
即ち、足し込み部１０８には、教師データ記憶部１０２に記憶された教師データｙk、予測タップ抽出部１０５が出力する予測タップｘn,k、クラスコード発生部１０７が出力するクラスコードが供給される。
【０１５０】
そして、足し込み部１０８は、クラスコード発生部１０７から供給されるクラスコードに対応するクラスごとに、予測タップ（生徒データ）ｘn,kを用い、式（８）の左辺の行列における生徒データどうしの乗算（ｘn,kｘn',k）と、サメーション（Σ）に相当する演算を行う。
【０１５１】
さらに、足し込み部１０８は、やはり、クラスコード発生部１０７から供給されるクラスコードに対応するクラスごとに、予測タップ（生徒データ）ｘn,kと教師データｙkを用い、式（８）の右辺のベクトルにおける生徒データｘn,kおよび教師データｙkの乗算（ｘn,kｙk）と、サメーション（Σ）に相当する演算を行う。
【０１５２】
即ち、足し込み部１０８は、前回、注目画素とされた教師データについて求められた式（８）における左辺の行列のコンポーネント（Σｘn,kｘn',k）と、右辺のベクトルのコンポーネント（Σｘn,kｙk）を、その内蔵するメモリ（図示せず）に記憶している。
【０１５３】
そして、足し込み部１０８は、式（８）における左辺の行列のコンポーネント（Σｘn,kｘn',k）に対して、新たに注目画素とされた教師データについての予測タップを構成する生徒データｘn,k+1を用いて計算される、対応するコンポーネントｘn,k+1ｘn',k+1を足し込む（式（８）における左辺のサメーションで表される加算を行う）。
【０１５４】
さらに、足し込み部１０８は、式（８）における右辺のベクトルのコンポーネント（Σｘn,kｙk）に対して、新たに注目画素とされた教師データについて、その教師データｙk+1および予測タップを構成する生徒データｘn,k+1を用いて計算される、対応するコンポーネントｘn,k+1ｙk+1を足し込む（式（８）における右辺のサメーションで表される加算を行う）。
【０１５５】
そして、足し込み部１０８は、教師データ記憶部１０２に記憶された教師データすべてを注目画素として、上述の足し込みを行うことにより、各クラスについて、式（８）に示した正規方程式をたてると、その正規方程式を、タップ係数算出部１０９に供給する。
【０１５６】
タップ係数算出部１０９は、足し込み部１０８から供給される各クラスについての正規方程式を解くことにより、各クラスについて、最適なタップ係数ｗnを求めて出力する。
【０１５７】
係数発生部５５には、以上のようにして求められたクラスごとのタップ係数ｗmが記憶されている。
【０１５８】
なお、上述の場合には、学習用画像信号、あるいは学習用画像信号のコントラストを変換したものを、第２の画像信号に対応する教師データとするとともに、学習用画像信号の解像度を劣化させた低画質画像信号を、第１の画像信号に対応する生徒データとして、タップ係数の学習を行うようにしたことから、タップ係数としては、第１の画像信号を、その解像度を向上させた第２の画像信号に変換する解像度向上処理としての画像変換処理を行うものを得ることができる。
【０１５９】
ここで、第１の画像信号に対応する生徒データと、第２の画像信号に対応する教師データとする画像信号の選択の仕方によって、タップ係数としては、各種の画像変換処理を行うものを得ることができる。
【０１６０】
即ち、例えば、高画質画像信号を教師データとするとともに、その教師データとしての高画質画像信号に対して、ノイズを重畳した画像信号を生徒データとして、学習処理を行うことにより、タップ係数としては、第１の画像信号を、そこに含まれるノイズを除去（低減）した第２の画像信号に変換するノイズ除去処理としての画像変換処理を行うものを得ることができる。
【０１６１】
次に、図１１のフローチャートを参照して、ディスプレイパネル３のある１つの位置用の、クラスごとのタップ係数を学習するときの、図１０の学習装置の処理（学習処理）について説明する。
【０１６２】
最初に、ステップＳ１において、教師データ生成部１０１と生徒データ生成部１０３が、学習用画像信号から、教師データと生徒データを、それぞれ生成して出力する。即ち、教師データ生成部１０１は、学習用画像信号を、そのまま、あるいは、学習用画像信号のコントラストを変換し、教師データとして出力する。また、生徒データ生成部３１は、学習用画像信号を、所定のカットオフ周波数のＬＰＦによってフィルタリングすることにより、各フレーム（またはフィールド）の教師データ（学習用画像信号）について、生徒データを生成して出力する。
【０１６３】
教師データ生成部１０１が出力する教師データは、教師データ記憶部１０２に供給されて記憶され、生徒データ生成部１０３が出力する生徒データは、生徒データ記憶部１０４に供給されて記憶される。
【０１６４】
その後、ステップＳ２に進み、予測タップ抽出部１０５は、教師データ記憶部１０２に記憶された教師データのうち、まだ、注目画素としていないものを、注目画素とする。さらに、ステップＳ２では、予測タップ抽出部１０５が、注目画素について、生徒データ記憶部１０４に記憶された生徒データから予測タップを構成し、足し込み部１０８に供給するとともに、クラスタップ抽出部１０６が、やはり、注目画素について、生徒データ記憶部１０４に記憶された生徒データからクラスタップを構成し、クラスコード発生部１０７に供給する。
【０１６５】
そして、ステップＳ３に進み、クラスコード発生部１０７は、注目画素についてのクラスタップに基づき、注目画素のクラス分類を行い、その結果得られるクラスに対応するクラスコードを、足し込み部１０８に出力して、ステップＳ４に進む。
【０１６６】
ステップＳ４では、足し込み部１０８は、教師データ記憶部１０２から、注目画素を読み出し、その注目画素と、予測タップ抽出部１０５から供給される注目画素について構成された予測タップを構成する生徒データとを対象とした式（８）の足し込みを、クラスコード発生部１０７から供給されるクラスコードごとに行い、ステップＳ５に進む。
【０１６７】
ステップＳ５では、予測タップ抽出部１０５が、教師データ記憶部１０２に、まだ、注目画素としていない教師データが記憶されているかどうかを判定する。ステップＳ５において、注目画素としていない教師データが、まだ、教師データ記憶部１０２に記憶されていると判定された場合、予測タップ抽出部１０５は、まだ注目画素としていない教師データを、新たに、注目画素として、ステップＳ２に戻り、以下、同様の処理が繰り返される。
【０１６８】
また、ステップＳ５において、注目画素としていない教師データが、教師データ記憶部１０２に記憶されていないと判定された場合、足し込み部１０８は、いままでの処理によって得られたクラスごとの式（８）における左辺の行列と、右辺のベクトルを、タップ係数算出部１０９に供給し、ステップＳ６に進む。
【０１６９】
ステップＳ６では、タップ係数算出部１０９は、足し込み部１０８から供給されるクラスごとの式（８）における左辺の行列と右辺のベクトルによって構成されるクラスごとの正規方程式を解くことにより、クラスごとに、タップ係数ｗnを求めて出力し、処理を終了する。
【０１７０】
なお、学習用画像信号の数が十分でないこと等に起因して、タップ係数を求めるのに必要な数の正規方程式が得られないクラスが生じることがあり得るが、そのようなクラスについては、タップ係数算出部１０９は、例えば、予め設定しておいたタップ係数を出力するようになっている。
【０１７１】
図１０の学習装置では、教師データ生成部１０１において、学習用画像信号から、複数のコントラストとしてのM種類のコントラストの教師データを生成し、そのM種類のコントラストの教師データそれぞれについて、クラスごとのタップ係数が求められる。即ち、図１０の学習装置では、クラスごとのタップ係数が、M種類のコントラストそれぞれごとに求められる。
【０１７２】
次に、図１２は、図９の係数発生部５５の構成例を示すブロック図である。
【０１７３】
コントローラ３１から供給される、ディスプレイパネル３の位置を表す位置情報は、スイッチ制御回路７１に入力される。
【０１７４】
スイッチ制御回路７１は、コントローラ３１から供給される位置情報に応じて、スイッチ７２と７３を制御する。即ち、スイッチ制御回路７１は、係数発生回路８１1乃至８１Mのうちの、コントローラ３１から供給される位置情報が表す位置に対応する係数発生回路を選択するように、スイッチ７２と７３を制御する。
【０１７５】
係数発生回路８１m（m＝１，２，・・・，M）は、図１０の学習装置で得られた、M種類のコントラストのクラスごとのタップ係数のうちの、m番目のコントラストのクラスごとのタップ係数を記憶している。
【０１７６】
係数発生回路８１mが、スイッチ７２と７３によって選択された場合、その係数発生回路８１mには、スイッチ７２を介して、クラスコード発生部５４（図９）からのクラスコードが供給される。係数発生回路８１mは、そこに記憶しているクラスごとのタップ係数のうちの、クラスコード発生部５４から供給されるクラスコードに対応するクラスのタップ係数を選択し、スイッチ７３を介して、予測演算部５６に供給（出力）する。
【０１７７】
ここで、パーティションTVでは、例えば、購入直後等に、パーティションTVが使用される地域の情報を、ユーザに入力してもらうことによって、チューナ１１で受信する各チャンネルの周波数帯域を設定する等の初期設定が行われる。この初期設定では、例えば、係数発生回路８１1乃至８１Mそれぞれと、ディスプレイパネル３の各位置とを対応付ける処理も行われる。
【０１７８】
具体的には、パーティションTVでは、例えば、ディスプレイパネル３が、あらかじめ設定されているM箇所の位置に順次移動される。そして、そのM箇所の位置それぞれにおいて、DRC部１７によって、M個の係数発生回路８１1乃至８１Mに記憶されたタップ係数のそれぞれを用いて得られる画像が、ディスプレイパネル３の表示部３Ａに表示される。ユーザには、ディスプレイパネル３のM箇所の位置それぞれについて、ディスプレイパネル３（の表示部３Ａ）に表示された画像を見て、最も気に入った画像を選択してもらう。そして、ディスプレイパネル３のM箇所の位置それぞれについて、ユーザが選択した画像を得るのに使用されたタップ係数（が記憶された係数発生回路８１m）と、その画像が表示されたディスプレイパネル３の位置とが対応付けられる。
【０１７９】
以上のような初期設定が行われた後、スイッチ制御回路７１は、M個の係数発生回路８１1乃至８１Mのうちの、コントローラ３１から供給される位置情報が表す位置に最も近い位置に対応付けられたタップ係数が記憶されている係数発生回路８１mを、スイッチ７２および７３に選択させる。そして、スイッチ７２および７３によって選択された係数発生回路８１mは、そこに記憶しているクラスごとのタップ係数のうちの、クラスコード発生部５４から供給されるクラスコードに対応するクラスのタップ係数を選択し、予測演算部５６に供給する。
【０１８０】
次に、図１３のフローチャートを参照して、図９のDRC部１７が行う、ビデオデコーダ１５が出力する画像信号（第１の画像信号）を、高品質（高画質）の画像信号（第２の画像信号）に変換する画像変換処理について説明する。
【０１８１】
最初に、ステップＳ１１において、予測タップ抽出部５１は、第２の画像信号を構成する画素のうちの、まだ注目画素としていないものの１つを、注目画素として選択し、さらに、その注目画素の画素値を予測するのに用いる第１の画像信号を構成する画素（の画素値）の幾つかを、予測タップとして抽出する。また、予測タップ抽出部５１は、抽出した予測タップを予測演算部５６に供給して、ステップＳ１２に進む。ここで、予測タップ抽出部５１は、例えば、第２の画像信号を構成する画素を、ラスタスキャン順に注目画素として選択する。
【０１８２】
ステップＳ１２において、クラスタップ抽出部５３は、注目画素を、幾つかのクラスのうちのいずれかのクラスにクラス分けするクラス分類を行うのに用いる第１の画像信号を構成する画素の幾つかを、クラスタップとして抽出する。また、クラスタップ抽出部５３は、得られたクラスタップをクラスコード発生部５４に供給して、ステップＳ１３に進む。
【０１８３】
ステップＳ１３において、クラスコード発生部５４は、クラスタップ抽出部５３からのクラスタップを構成する画素の画素値（レベル）に基づき、注目画素をクラス分類し、その結果得られるクラスに対応するクラスコードを発生する。そして、クラスコード発生部５４は、そのクラスコードを係数発生部５５に供給して、ステップＳ１４に進む。
【０１８４】
ステップＳ１４では、係数発生部５５（図１２）のスイッチ制御回路７１は、ディスプレイパネル３の位置を認識する。即ち、スイッチ制御回路７１は、コントローラ３１（図８）から供給される位置情報を受信し、その位置情報が表すディスプレイパネル３の位置を認識する。
【０１８５】
そして、ステップＳ１４からＳ１５に進み、スイッチ制御回路７１は、コントローラ３１から供給された位置情報から認識したディスプレイパネル３の位置に対応する係数発生回路８１mを、図１２のM個の係数発生回路８１1乃至８１Mの中から選択して、ステップＳ１６に進む。ステップＳ１６では、スイッチ制御回路７１によって選択された係数発生回路８１mは、クラスコード発生部５４から供給されるクラスコードに対応するクラスのタップ係数を、予測演算部５６に供給（出力）して、ステップＳ１７に進む。
【０１８６】
ステップＳ１７では、予測演算部５６は、予測タップ抽出部５１が出力する予測タップと、係数発生部５５が出力するタップ係数とを取得し、その予測タップとタップ係数とを用いて、注目画素の真値の予測値を求める式（１）の予測演算を行う。これにより、予測演算部５６は、注目画素の画素値（の予測値）、即ち、第２の画像信号を構成する画素の画素値を出力する。
【０１８７】
図１３の画像変換処理は、第２の画像信号を構成する画素を、順次、注目画素として行われる。
【０１８８】
次に、パーティションTV（図８）は、上述したように、画像を表示する装置と、パーティションとの両方として機能することから、動作モードとして、パーティションTVが画像を表示する装置として機能する表示モードと、パーティションTVがパーティションとして機能するパーティションモード（ついたてモード）とを有している。
【０１８９】
そして、パーティションTVのリモコン１０（図８）には、表示モードを有効または無効にするときに操作される「TV」スイッチと、パーティションモードを有効または無効にするときに操作される「家具」スイッチとが、少なくとも設けられている。
【０１９０】
以下、図１４乃至図１７のフローチャートを参照して、表示モードとパーティションモードのうちの一方や両方が有効とされた場合のパーティションTVの動作について説明する。
【０１９１】
なお、リモコン１０には、「TV」スイッチと「家具」スイッチの他、「移動許可」スイッチと移動キーも、少なくとも設けられている。「移動許可」スイッチは、ディスプレイパネル３の移動（回転）を許可または禁止するときに操作され、移動キーは、ディスプレイパネル３の移動方向を指示するときに操作される。この、方向を指示する移動キーは、例えば、カーソルキーやジョイスティック等で構成することができる。
【０１９２】
まず、図１４のフローチャートを参照して、リモコン１０の「家具」スイッチがオンにされ、これにより、パーティションモードが有効にされた場合のパーティションTVの動作について説明する。
【０１９３】
ユーザは、パーティションTVを、家具の１つとしてのパーティションとして利用したい場合、リモコン１０の「家具」スイッチをオン状態にするように操作する。
【０１９４】
ユーザが、リモコン１０の「家具」スイッチをオン状態にするように操作すると、その操作に対応した操作信号が、パーティションTV（図８）の受光部３５を介して、リモコンI/F３４で受け付けられる。リモコンI/F３４は、リモコン１０から受け付けた操作信号を、コントローラ３１に供給し、コントローラ３１は、リモコン１０からの操作信号に応じて、パーティションモードを有効にする（例えば、EEPROM３１Ｄに記憶されているフラグであって、パーティションモードの有効または無効を表すフラグに、有効を表す情報をセットする）。
【０１９５】
パーティションモードが有効になると、ステップＳ３１において、リモコンI/F３４は、リモコン１０の移動キーが操作されたか否かを判定する。ステップＳ３１において、リモコン１０の移動キーが操作されていないと判定された場合、ステップＳ３２をスキップして、ステップＳ３３に進む。
【０１９６】
また、ステップＳ３１において、リモコン１０の移動キーが操作されたと判定された場合、即ち、リモコン１０から、移動キーの操作に対応した操作信号が送信され、その操作信号が、受光部３５を介して、リモコンI/F３４に供給された場合、リモコンI/F３４は、その操作信号を受け付け、コントローラ３１に供給して、ステップＳ３２に進む。
【０１９７】
ステップＳ３２では、コントローラ３１は、リモコンI/F３４からの操作信号に基づき、移動キーの操作に応じたディスプレイパネル３の移動を行うことを指示する制御信号を、駆動制御部４２に供給する。駆動制御部４２は、コントローラ３１からの制御信号にしたがって、アクチュエータ４３を駆動し、これにより、ディスプレイパネル３が、移動キーの操作にしたがって移動する。
【０１９８】
即ち、ディスプレイパネル３が、移動キーの操作にしたがって移動することにより、パーティションTV（の機能）のパーティションとしての配置状態が変更される。
【０１９９】
そして、ステップＳ３２からＳ３３に進み、リモコンI/F３４は、リモコン１０の「家具」スイッチがオフ状態となるように操作されたか否かを判定する。ステップＳ３３において、「家具」スイッチがオフ状態となるように操作されていないと判定された場合、ステップＳ３１に戻り、以下、同様の処理が繰り返される。
【０２００】
また、ステップＳ３３において、「家具」スイッチがオフ状態となるように操作されたと判定された場合、即ち、ユーザが、リモコン１０の「家具」スイッチをオフ状態にするように操作し、その操作に対応した操作信号が、リモコン１０から送信され、受光部３５を介して、リモコンI/F３４に供給された場合、リモコンI/F３４は、その操作信号を受け付け、コントローラ３１に供給する。
【０２０１】
コントローラ３１は、リモコン１０からの操作信号に応じて、パーティションモードを無効にし（例えば、パーティションモードの有効または無効を表すフラグに、無効を表す情報をセットし）、処理を終了する。
【０２０２】
以上のように、ユーザが、リモコン１０の「家具」スイッチをオンにすると、パーティションモードが有効にされ、パーティションTVは、ユーザによる移動キーの操作に応じて配置状態を変更するパーティションとして機能する。
【０２０３】
次に、図１５のフローチャートを参照して、リモコン１０の「TV」スイッチがオンにされ、これにより、表示モードが有効にされた場合のパーティションTVの動作について説明する。
【０２０４】
ユーザは、パーティションTVを、テレビジョン受像機などのディスプレイ装置としてとして利用したい場合、リモコン１０の「TV」スイッチをオン状態にするように操作する。
【０２０５】
ユーザが、リモコン１０の「TV」スイッチをオン状態にするように操作すると、その操作に対応した操作信号が、パーティションTV（図８）の受光部３５を介して、リモコンI/F３４で受け付けられる。リモコンI/F３４は、リモコン１０から受け付けた操作信号を、コントローラ３１に供給し、コントローラ３１は、リモコン１０からの操作信号に応じて、表示モードを有効にする（例えば、EEPROM３１Ｄに記憶されているフラグであって、表示モードの有効または無効を表すフラグに、有効を表す情報をセットする）。
【０２０６】
表示モードが有効になると、ディスプレイパネル３の表示部３Ａには、画像が表示され、スピーカ２０からは、対応する音声が出力される。
【０２０７】
即ち、パーティションTVでは、チューナ１１において、アンテナで受信されたディジタル放送の放送信号としてのトランスポートストリームの中から、特定のチャンネル（周波数帯域）のトランスポートストリームが選択され、復調部１２、およびエラー訂正処理部１３を介して、デマルチプレクサ１４に供給される。デマルチプレクサ１４は、コントローラ３１の制御にしたがい、そこに供給されるトランスポートストリームから、特定の番組のTSパケットを選択し、ビデオデータのTSパケットをビデオデコーダ１５に、オーディオデータのTSパケットをオーディオデコーダ１６に、それぞれ供給する。
【０２０８】
ビデオデコーダ１５において、デマルチプレクサ１４から供給されるTSパケットのビデオデータがMPEGデコードされ、その結果得られる画像信号が、DRC部１７および動きベクトル検出部４１に供給される。DRC部１７では、ビデオデコーダ１５からの画像信号が、高品質の画像信号に変換され、表示部３Ａに供給される。これにより、表示部３Ａでは、高画質の画像が表示される。
【０２０９】
また、オーディオデコーダ１６では、デマルチプレクサ１４から供給されるTSパケットのオーディオデータがMPEGデコードされ、その結果得られる音声信号が、スピーカ２０に供給され、スピーカ２０からは、対応する音声が出力される。
【０２１０】
以上のように、リモコン１０の「TV」スイッチがオン状態にされ、表示モードが有効になると、パーティションTVでは、番組の画像と音声が出力され、即ち、パーティションTVは、画像を表示するとともに、対応する音声を出力するテレビジョン受像機などのディスプレイ装置として機能し、これにより、ユーザは、番組の視聴が可能となる。従って、「TV」スイッチは、テレビジョン受像機の電源スイッチに相当する。
【０２１１】
表示モードが有効とされると、ステップＳ４１において、コントローラ３１は、ディスプレイパネル３の移動が許可されているか否かを判定する。ステップＳ４１において、ディスプレイパネル３の移動が許可されていると判定された場合、即ち、例えば、EEPROM３１Ｄに記憶されているフラグであって、ディスプレイパネル３の移動の許可または禁止を表すフラグに、許可を表す情報がセットされている場合、ステップＳ４２に進む。
【０２１２】
ここで、ディスプレイパネル３の移動の許可または禁止を表すフラグには、リモコン１０の「移動許可」スイッチの操作に応じて、情報がセットされる。
【０２１３】
即ち、ユーザが、ディスプレイパネル３の移動を許可するように、リモコン１０の「移動許可」スイッチを操作した場合、その操作に対応した操作信号が、リモコン１０から送信され、受光部３５を介して、リモコンI/F３４に供給される。リモコンI/F３４は、その操作信号を受け付け、コントローラ３１に供給し、コントローラ３１は、リモコン１０からの操作信号に応じて、ディスプレイパネル３の移動の許可または禁止を表すフラグに、許可を表す情報をセットする。
【０２１４】
また、ユーザが、ディスプレイパネル３の移動を禁止するように、リモコン１０の「移動許可」スイッチを操作した場合、その操作に対応した操作信号が、リモコン１０から送信され、受光部３５を介して、リモコンI/F３４に供給される。リモコンI/F３４は、その操作信号を受け付け、コントローラ３１に供給し、コントローラ３１は、リモコン１０からの操作信号に応じて、ディスプレイパネル３の移動の許可または禁止を表すフラグに、禁止を表す情報をセットする。
【０２１５】
ステップＳ４２では、動きベクトル検出部４１は、ビデオデコーダ１５から供給される画像信号から、フレーム単位で、全画面動きを表す動きベクトルを検出し、駆動制御部４２に供給して、ステップＳ４３に進む。
【０２１６】
ステップＳ４３では、駆動制御部４２は、動きベクトル検出部４１からの動きベクトルにしたがって、アクチュエータ４３を駆動し、これにより、ディスプレイパネル３が、ビデオデコーダ１５から供給される画像信号、即ち、ディスプレイパネル３の表示部３Ａに表示されている画像の動きにしたがって移動する。
【０２１７】
即ち、ディスプレイパネル３の表示部３Ａに、例えば、カメラを水平方向にパンしながら撮影が行われた画像が表示されている場合には、ディスプレイパネル３が、カメラのパンと同様に水平方向に移動し、その移動に伴って、表示部３Ａに表示される画像が変化していく。
【０２１８】
従って、この場合、ユーザは、ディスプレイパネル３の表示部３Ａを、いわば動く窓として、その窓を介して、実際の風景を見ているかのような感覚を享受することができる。
【０２１９】
なお、動きベクトル検出部４１がビデオデコーダ１５からの画像信号から検出する動きベクトルは、カメラをパンしながら撮影した場合等に得られる画像全体の動き、即ち、カメラの動きを表す動きベクトルである。従って、例えば、静止している背景の手前側を、自動車が通り過ぎていくようなシーンを、カメラを固定して撮影した場合に得られる画像については、画像全体の動きはないので、動きベクトル検出部４１では、動きベクトルとして０が検出される。この場合、ディスプレイパネル３は移動しない。但し、ディスプレイパネル３は、画像全体の動きではなく、一部の動きにしたがって移動するようにすることも可能である。
【０２２０】
一方、ステップＳ４１において、ディスプレイパネル３の移動が許可されていないと判定された場合、即ち、例えば、EEPROM３１Ｄの、ディスプレイパネル３の移動の許可または禁止を表すフラグに、禁止を表す情報がセットされている場合、ステップＳ４２およびＳ４３をスキップして、ステップＳ４４に進む。
【０２２１】
従って、ディスプレイパネル３の移動が許可されていない場合には、ディスプレイパネル３は、表示部３Ａに表示されている画像の動きにしたがって移動しない。
【０２２２】
ステップＳ４４では、リモコンI/F３４は、リモコン１０の「TV」スイッチがオフ状態となるように操作されたか否かを判定する。ステップＳ４３において、「TV」スイッチがオフ状態となるように操作されていないと判定された場合、ステップＳ４１に戻り、以下、同様の処理が繰り返される。
【０２２３】
また、ステップＳ４４において、「TV」スイッチがオフ状態となるように操作されたと判定された場合、即ち、ユーザが、リモコン１０の「TV」スイッチをオフ状態にするように操作し、その操作に対応した操作信号が、リモコン１０から送信され、受光部３５を介して、リモコンI/F３４に供給された場合、リモコンI/F３４は、その操作信号を受け付け、コントローラ３１に供給する。
【０２２４】
コントローラ３１は、リモコン１０からの操作信号に応じて、表示モードを無効にし（例えば、表示モードの有効または無効を表すフラグに、無効を表す情報をセットし）、さらに、ディスプレイパネル３の表示部３Ａにおける画像の表示と、スピーカ２０からの音声の出力とを停止させ、処理を終了する。
【０２２５】
以上のように、ユーザが、リモコン１０の「TV」スイッチをオンにすると、表示モードが有効にされ、パーティションTVは、ディスプレイ装置として機能する。さらに、ディスプレイパネル３の移動が許可されていれば、ディスプレイパネル３は、ディスプレイパネル３の表示部３Ａに表示されている画像の動きにしたがって移動する。
【０２２６】
次に、パーティションTVは、上述のように、パーティションモードが有効にされた場合には、パーティションとして機能し、これにより、ユーザは、パーティションTVを、パーティションとして利用することができる。また、パーティションTVは、上述のように、表示モードが有効にされた場合には、ディスプレイ装置として機能し、これにより、ユーザは、パーティションTVを、ディスプレイ装置として利用することができる。
【０２２７】
ところで、ユーザにおいては、パーティションTVを、パーティションとして利用している最中に、ディスプレイ装置として利用したくなることがあり得る。また、逆に、パーティションTVを、ディスプレイ装置として利用している最中に、パーティションとして利用したくなることがあり得る。
【０２２８】
そこで、パーティションモードと表示モードの両方が有効にされた場合のパーティションTVの動作について説明する。
【０２２９】
まず、図１６のフローチャートを参照して、リモコン１０の「家具」スイッチがオンにされ、これにより、パーティションモードが有効にされ、さらに、その後、リモコン１０の「TV」スイッチがオンにされ、これにより、表示モードが有効にされた場合のパーティションTVの動作について説明する。
【０２３０】
ユーザが、リモコン１０の「家具」スイッチをオン状態にするように操作すると、図１４で説明したように、コントローラ３１は、パーティションモードを有効にする。
【０２３１】
パーティションモードが有効になると、ステップＳ５１乃至Ｓ５６において、図１４のステップＳ３１乃至Ｓ３３における場合とそれぞれ同様の処理が行われる。
【０２３２】
即ち、ステップＳ５１において、図１４のステップＳ３１における場合と同様に、リモコンI/F３４は、リモコン１０の移動キーが操作されたか否かを判定する。ステップＳ５１において、リモコン１０の移動キーが操作されていないと判定された場合、ステップＳ５２をスキップして、ステップＳ５３に進む。
【０２３３】
また、ステップＳ５１において、リモコン１０の移動キーが操作されたと判定された場合、ステップＳ５２に進み、図１４のステップＳ５２における場合と同様に、コントローラ３１は、移動キーの操作に対応する操作信号に基づき、その移動キーの操作に応じたディスプレイパネル３の移動を行うことを指示する制御信号を、駆動制御部４２に供給する。駆動制御部４２は、コントローラ３１からの制御信号にしたがって、アクチュエータ４３を駆動し、これにより、ディスプレイパネルが、移動キーの操作にしたがって移動する。
【０２３４】
そして、ステップＳ５２からＳ５３に進み、図１４のステップＳ３３における場合と同様に、リモコンI/F３４は、リモコン１０の「家具」スイッチがオフ状態となるように操作されたか否かを判定する。ステップＳ５３において、「家具」スイッチがオフ状態となるように操作されたと判定された場合、コントローラ３１は、パーティションモードを無効にし、処理を終了する。
【０２３５】
また、ステップＳ５３において、「家具」スイッチがオフ状態となるように操作されていないと判定された場合、ステップＳ５４に進み、リモコンI/F３４は、「TV」スイッチがオン状態となるように操作されたか否かを判定する。
【０２３６】
ステップＳ５４において、「TV」スイッチがオン状態となるように操作されていないと判定された場合、ステップＳ５１に戻り、以下、同様の処理が繰り返される。
【０２３７】
また、ステップＳ５４において、「TV」スイッチがオン状態になるように操作されたと判定された場合、即ち、ユーザが、リモコン１０の「TV」スイッチをオン状態にするように操作し、その操作に対応した操作信号が、リモコン１０から送信され、受光部３５を介して、リモコンI/F３４に供給された場合、リモコンI/F３４は、その操作信号を受け付け、コントローラ３１に供給する。コントローラ３１は、リモコン１０からの操作信号に応じて、表示モードを有効にし、これにより、図１５で説明したように、ディスプレイパネル３の表示部３Ａには、画像が表示され、スピーカ２０からは、対応する音声が出力される。
【０２３８】
以上のように、パーティションモードが有効にされ、その後、ステップＳ５４において、表示モードが有効にされた場合、ステップＳ５５に進み、コントローラ３１は、ディスプレイパネル３の現在の位置を表す位置情報を記憶する。
【０２３９】
即ち、図９で説明したように、コントローラ３１は、駆動制御部４２から、アクチュエータ４３の駆動量の供給を受け、その駆動量から、ディスプレイパネル３の位置を求めている。コントローラ３１は、このようにして求めているディスプレイパネル３の現在の位置を表す位置情報を、ステップＳ５５において記憶する。
【０２４０】
さらに、ステップＳ５５では、コントローラ３１は、ディスプレイパネル３をデフォルトの位置に移動することを指示する制御信号を、駆動制御部４２に供給する。駆動制御部４２は、コントローラ３１からの制御信号にしたがって、アクチュエータ４３を駆動し、これにより、ディスプレイパネル３は、デフォルトの位置に移動する。
【０２４１】
ステップＳ５５の処理後は、ステップＳ５６乃至Ｓ５９において、図１５のステップＳ４１乃至Ｓ４４における場合とそれぞれ同様の処理が行われる。
【０２４２】
即ち、ステップＳ５６では、図１５のステップＳ４１における場合と同様に、コントローラ３１は、ディスプレイパネル３の移動が許可されているか否かを判定する。ステップＳ５６において、ディスプレイパネル３の移動が許可されていると判定された場合、ステップＳ５７に進み、図１５のステップＳ４２における場合と同様に、動きベクトル検出部４１は、ビデオデコーダ１５から供給される画像信号から、フレーム単位で、全画面動きを表す動きベクトルを検出し、駆動制御部４２に供給して、ステップＳ５８に進む。
【０２４３】
ステップＳ５８では、図１５のステップＳ４３における場合と同様に、駆動制御部４２は、コントローラ３１からの制御信号にしたがって、アクチュエータ４３を駆動し、ステップＳ５９に進む、これにより、ディスプレイパネル３は、ビデオデコーダ１５から供給される画像信号、即ち、ディスプレイパネル３の表示部３Ａに表示されている画像の動きにしたがって移動する。
【０２４４】
ここで、いまの場合、ディスプレイパネル３は、ステップＳ５５において、デフォルトの位置に移動されている。従って、ステップＳ５８では、ディスプレイパネル３は、デフォルトの位置を基準として、表示部３Ａに表示されている画像の動きにしたがって（基づいて）移動する。
【０２４５】
一方、ステップＳ５６において、ディスプレイパネル３の移動が許可されていないと判定された場合、ステップＳ５７およびＳ５８をスキップして、ステップＳ５９に進み、図１５のステップＳ４４における場合と同様に、リモコンI/F３４は、リモコン１０の「TV」スイッチがオフ状態となるように操作されたか否かを判定する。ステップＳ５９において、「TV」スイッチがオフ状態となるように操作されていないと判定された場合、ステップＳ５６に戻り、以下、同様の処理が繰り返される。
【０２４６】
また、ステップＳ５９において、「TV」スイッチがオフ状態となるように操作されたと判定された場合、コントローラ３１は、表示モードを無効にし、即ち、パーティションモードおよび表示モードの両方が有効の状態から、パーティションモードだけが有効の状態とし、さらに、ディスプレイパネル３の表示部３Ａにおける画像の表示と、スピーカ２０からの音声の出力とを停止させ、ステップＳ６０に進む。
【０２４７】
ステップＳ６０では、コントローラ３１は、ディスプレイパネル３を、ステップＳ５５で記憶した位置情報が表す位置、即ち、表示モードが有効にされたときの位置に移動することを指示する制御信号を、駆動制御部４２に供給する。駆動制御部４２は、コントローラ３１からの制御信号にしたがって、アクチュエータ４３を駆動し、これにより、ディスプレイパネル３は、表示モードが有効にされたときの位置（元の位置）に移動する。
【０２４８】
ステップＳ６０の処理後は、ステップＳ５１に戻り、以下、同様の処理が繰り返される。
【０２４９】
なお、パーティションモードが有効にされ、その後、ステップＳ５４において、表示モードが有効にされた場合においては、図１６で説明したように、表示モードが無効とされない限り、ステップＳ５６乃至Ｓ５９の処理が繰り返され、表示モードが無効とされると、ステップＳ６０の処理を行ってから、ステップＳ５１に戻る。
【０２５０】
一方、パーティションモードが有効にされ、その後、ステップＳ５４において、表示モードが有効にされた場合において、表示モードが無効とされずに、ステップＳ５６乃至Ｓ５９の処理が繰り返されている最中に、パーティションモードが無効とされたときには、即ち、表示モードのみが有効にされたときには、パーティションTVは、図１６のフローチャートにしたがった処理を終了し、図１５のフローチャートにしたがった処理を開始する。
【０２５１】
また、図１６では、パーティションモードが有効にされ、その後、ステップＳ５４において、表示モードが有効にされた場合に、ステップＳ５５において、ディスプレイパネル３をデフォルトの位置に移動し、その後、ステップＳ５９において、表示モードが無効とされた場合に、ステップＳ６０において、ディスプレイパネル３を、表示モードが有効にされたときの位置に移動する（戻す）ようにしたが、ステップＳ５５およびＳ６０の処理は、スキップする（行わない）ようにすることが可能である。
【０２５２】
ステップＳ５５およびＳ６０の処理をスキップする場合には、パーティションモードが有効にされ、その後、ステップＳ５４において、表示モードが有効にされると、ディスプレイパネル３の移動が許可されていれば、ステップＳ５８において、ディスプレイパネル３は、表示部３Ａに表示されている画像の動きにしたがって移動を開始する。従って、この場合、ディスプレイパネル３は、デフォルトの位置ではなく、表示モードが有効にされたときのディスプレイパネル３の位置を基準として、表示部３Ａに表示されている画像の動きにしたがって移動する。
【０２５３】
さらに、その後、ステップＳ５９において、表示モードが無効とされた場合には、ステップＳ６０の処理をスキップして、ステップＳ５１に戻り、ユーザが、リモコン１０の移動キーを操作すると、ステップＳ５２において、ディスプレイパネル３が、移動キーの操作にしたがって移動する。従って、この場合、移動キーの操作にしたがったディスプレイパネル３の移動は、表示モードが無効とされたときのディスプレイパネル３の位置を基準として行われる。
【０２５４】
次に、図１７のフローチャートを参照して、リモコン１０の「TV」スイッチがオンにされ、これにより、表示モードが有効にされ、さらに、その後、リモコン１０の「家具」スイッチがオンにされ、これにより、パーティションモードが有効にされた場合のパーティションTVの動作について説明する。
【０２５５】
ユーザが、リモコン１０の「TV」スイッチをオン状態にするように操作すると、図１５で説明したように、コントローラ３１は、表示モードを有効にし、これにより、同じく図１５で説明したように、ディスプレイパネル３の表示部３Ａには、画像が表示され、スピーカ２０からは、対応する音声が出力される。
【０２５６】
そして、表示モードが有効になると、ステップＳ８１乃至Ｓ８４において、図１５のステップＳ４１乃至Ｓ４４における場合とそれぞれ同様の処理が行われる。
【０２５７】
即ち、ステップＳ８１では、図１５のステップＳ４１における場合と同様に、コントローラ３１は、ディスプレイパネル３の移動が許可されているか否かを判定する。ステップＳ８１において、ディスプレイパネル３の移動が許可されていると判定された場合、ステップＳ８２に進み、図１５のステップＳ４２における場合と同様に、動きベクトル検出部４１は、ビデオデコーダ１５から供給される画像信号から、フレーム単位で、全画面動きを表す動きベクトルを検出し、駆動制御部４２に供給して、ステップＳ８３に進む。
【０２５８】
ステップＳ８３では、図１５のステップＳ４３における場合と同様に、駆動制御部４２は、コントローラ３１からの制御信号にしたがって、アクチュエータ４３を駆動し、ステップＳ８４に進む。これにより、ディスプレイパネル３は、ビデオデコーダ１５から供給される画像信号、即ち、ディスプレイパネル３の表示部３Ａに表示されている画像の動きにしたがって移動する。
【０２５９】
一方、ステップＳ８１において、ディスプレイパネル３の移動が許可されていないと判定された場合、ステップＳ８２およびＳ８３をスキップして、ステップＳ８４に進み、図１５のステップＳ４４における場合と同様に、リモコンI/F３４は、リモコン１０の「TV」スイッチがオフ状態となるように操作されたか否かを判定する。ステップＳ８４において、「TV」スイッチがオフ状態となるように操作されたと判定された場合、コントローラ３１は、表示モードを無効にし、さらに、ディスプレイパネル３の表示部３Ａにおける画像の表示と、スピーカ２０からの音声の出力とを停止させ、処理を終了する。
【０２６０】
また、ステップＳ８４において、「TV」スイッチがオフ状態となるように操作されていないと判定された場合、ステップＳ８５に進み、リモコンI/F３４は、「家具」スイッチがオン状態となるように操作されたか否かを判定する。
【０２６１】
ステップＳ８５において、「家具」スイッチがオン状態となるように操作されていないと判定された場合、ステップＳ８１に戻り、以下、同様の処理が繰り返される。
【０２６２】
また、ステップＳ８５において、「家具」スイッチがオン状態になるように操作されたと判定された場合、即ち、ユーザが、リモコン１０の「家具」スイッチをオン状態にするように操作し、その操作に対応した操作信号が、リモコン１０から送信され、受光部３５を介して、リモコンI/F３４に供給された場合、リモコンI/F３４は、その操作信号を受け付け、コントローラ３１に供給する。コントローラ３１は、リモコン１０からの操作信号に応じて、パーティションモードを有効にする。
【０２６３】
以上のように、表示モードが有効にされ、その後、ステップＳ８５において、パーティションモードが有効にされた場合、ステップＳ８６に進み、コントローラ３１は、ディスプレイパネル３をデフォルトの位置に移動することを指示する制御信号を、駆動制御部４２に供給する。駆動制御部４２は、コントローラ３１からの制御信号にしたがって、アクチュエータ４３を駆動し、これにより、ディスプレイパネル３は、デフォルトの位置に移動する。
【０２６４】
なお、上述の場合には、ステップＳ８６において、ディスプレイパネル３を、デフォルトの位置に移動するようにしたが、ステップＳ８６では、その他、ディスプレイパネル３は、表示モードが有効にされる直前のディスプレイパネル３の位置に移動するようにしてもよいし、また、ステップＳ８６の処理はスキップするようにしてもよい。
【０２６５】
ステップＳ８６の処理後は、ステップＳ８７乃至Ｓ８９において、図１４のステップＳ３１乃至Ｓ３１における場合とそれぞれ同様の処理が行われる。
【０２６６】
即ち、ステップＳ８７において、図１４のステップＳ３１における場合と同様に、リモコンI/F３４は、リモコン１０の移動キーが操作されたか否かを判定する。ステップＳ８７において、リモコン１０の移動キーが操作されていないと判定された場合、ステップＳ８８をスキップして、ステップＳ８９に進む。
【０２６７】
また、ステップＳ８７において、リモコン１０の移動キーが操作されたと判定された場合、ステップＳ８８に進み、図１４のステップＳ８８における場合と同様に、コントローラ３１は、移動キーの操作に対応する操作信号に基づき、その移動キーの操作に応じたディスプレイパネル３の移動を行うことを指示する制御信号を、駆動制御部４２に供給する。駆動制御部４２は、コントローラ３１からの制御信号にしたがって、アクチュエータ４３を駆動し、これにより、ディスプレイパネル３が、移動キーの操作にしたがって移動する。
【０２６８】
そして、ステップＳ８８からＳ８９に進み、図１４のステップＳ３３における場合と同様に、リモコンI/F３４は、リモコン１０の「家具」スイッチがオフ状態となるように操作されたか否かを判定する。ステップＳ８９において、「家具」スイッチがオフ状態となるように操作されていないと判定された場合、ステップＳ８７に戻り、以下、同様の処理が繰り返される。
【０２６９】
また、ステップＳ８９において、「家具」スイッチがオフ状態となるように操作されたと判定された場合、コントローラ３１は、パーティションモードを無効にして、ステップＳ８１に戻り、以下、同様の処理が繰り返される。
【０２７０】
なお、表示モードが有効にされ、その後、ステップＳ８５において、パーティションモードが有効にされた場合においては、図１７で説明したように、パーティションモードが無効とされない限り、ステップＳ８７乃至Ｓ８９の処理が繰り返され、パーティションモードが無効とされると、ステップＳ８１に戻る。
【０２７１】
一方、表示モードが有効にされ、その後、ステップＳ８５において、パーティションモードが有効にされた場合において、パーティションモードが無効とされずに、ステップＳ８７乃至Ｓ８９の処理が繰り返されている最中に、表示モードが無効とされたときには、即ち、パーティションモードのみが有効にされたときには、パーティションTVは、図１７のフローチャートにしたがった処理を終了し、図１４のフローチャートにしたがった処理を開始する。
【０２７２】
次に、図１８は、図１や図５のパーティションTVの他の電気的構成例を示すブロック図である。なお、図中、図８における場合と対応する部分については、同一の符号を付してあり、以下では、その説明は、適宜省略する。即ち、図１８のパーティションTVは、動きベクトル検出部４１が設けられておらず、DRC部１７に代えて、DRC部２１７が設けられている他は、図８における場合と基本的に同様に構成されている。
【０２７３】
ここで、図８におけるDRC部１７（図９）では、第１の画像信号を第２の画像信号に変換する画像変換処理において、クラスタップを構成する空間または時間方向に分布する画素のレベル（画素値）に基づき、注目画素を、複数のクラスのうちのいずれかのクラスに分類するクラス分類を行い、その結果得られる、注目画素のクラスを表すクラスコードを発生するようになっていたが、図１８におけるDRC部２１７では、画像変換処理において、さらに、その画像変換処理の対象である第１の画像信号から画像の動きを検出し、その検出結果をも用いて、注目画素をクラス分類するようになっている。
【０２７４】
即ち、図１９は、図１８のDRC部２１７の構成例を示している。なお、図中、図９のDRC部１７における場合と対応する部分については、同一の符号を付してあり、以下では、その説明は、適宜省略する。即ち、DRC部２１７は、動きベクトル検出部３０１が新たに設けられているとともに、クラス分類部５２が、クラスタップ抽出部５３とクラスコード発生部５４の他に、クラスコード発生部３０２および３０３を新たに設けて構成されている他は、DRC部１７と同様に構成されている。
【０２７５】
動きベクトル検出部３０１には、ビデオデコーダ１５（図１８）からの画像信号、即ち、DRC部２１７の画像変換処理の対象となる第１の画像信号が供給される。動きベクトル検出部３０１は、図８の動きベクトル検出部４１と同様に、ビデオデコーダ１５からの画像信号から、全画面動きを表す動きベクトルをフレーム単位で検出し、クラス分類部５２のクラスコード発生部３０２に供給する。
【０２７６】
さらに、動きベクトル検出部３０１は、動きベクトルを、クラスコード発生部３０２の他、図１８の駆動制御部４２にも供給する。図１８の駆動制御部４２は、表示モードが有効とされている場合に、動きベクトル検出部３０１からの動きベクトルにしたがって、アクチュエータ４３を駆動し、これにより、ディスプレイパネル３を移動させる。
【０２７７】
クラスコード発生部３０２は、動きベクトル検出部３０１からの動きベクトルのうちの、例えば、注目画素のフレームと同一のフレームに対して得られた動きベクトルに基づき、注目画素を、複数のクラスのうちのいずれかのクラスに分類するクラス分類を行い、その結果得られる、注目画素のクラスを表すクラスコードを発生して、クラスコード発生部３０３に供給する。なお、動きベクトルに基づいてクラス分類を行う方法としては、例えば、その動きベクトルをベクトル量子化し、そのベクトル量子化結果（ベクトル量子化に用いられるコードブックにおけるコードベクトル（セントロイドベクトル）に付されたコード）を、クラスコードとする方法などがある。
【０２７８】
ここで、クラスコード発生部５４が、クラスタップを構成する空間または時間方向に分布する画素のレベル（画素値）に基づき、注目画素をクラス分類することにより得られるクラスコードを、以下、適宜、空間または時間クラスコードという。また、クラスコード発生部３０２が、動きベクトル検出部３０１からの動きベクトルに基づき、注目画素をクラス分類することにより得られるクラスコードを、以下、適宜、動きクラスコードという。
【０２７９】
クラスコード発生部３０３には、クラスコード発生部３０２から、注目画素の動きクラスコードが供給される他、クラスコード発生部５４から、注目画素の空間または時間クラスコードが供給される。クラスコード発生部３０３は、クラスコード発生部３０２からの注目画素の動きクラスコードと、クラスコード発生部５４からの注目画素の空間または時間クラスコードとに基づき、注目画素の最終的なクラスを表すクラスコードを発生し、係数発生部５５に供給する。
【０２８０】
即ち、クラスコード発生部３０３は、例えば、動きクラスコードを表すビット列に続けて、空間または時間クラスコードを表すビット列を配置して得られるビット列を、注目画素の最終的なクラスを表すクラスコードとして発生する。
【０２８１】
なお、図１９のDRC部２１７の係数発生部５５には、学習処理において、図１９のクラス分類部５２で行われるのと同一のクラス分類を行うことによって得られるクラスごとのタップ係数（であって、ディスプレイパネル３の複数の位置それぞれごとのタップ係数）が記憶されているものとする。
【０２８２】
次に、図２０のフローチャートを参照して、図１９のDRC部２１７が行う、ビデオデコーダ１５が出力する画像信号（第１の画像信号）を、高品質（高画質）の画像信号（第２の画像信号）に変換する画像変換処理について説明する。
【０２８３】
DRC部２１７では、まず、ステップＳ１０１乃至Ｓ１０３において、図１３のステップＳ１１乃至Ｓ１３における場合とそれぞれ同様の処理が行われる。
【０２８４】
即ち、ステップＳ１０１において、図１３のステップＳ１１における場合と同様に、予測タップ抽出部５１は、第２の画像信号を構成する画素のうちの、まだ注目画素としていないものの１つを、注目画素として選択し、さらに、その注目画素の画素値を予測するのに用いる第１の画像信号を構成する画素（の画素値）の幾つかを、予測タップとして抽出する。そして、予測タップ抽出部５１は、注目画素の予測タップを予測演算部５６に供給して、ステップＳ１０２に進む。
【０２８５】
ステップＳ１０２において、図１３のステップＳ１２における場合と同様に、クラスタップ抽出部５３は、注目画素のクラス分類を行うのに用いる第１の画像信号を構成する画素の幾つかを、クラスタップとして抽出し、クラスコード発生部５４に供給して、ステップＳ１０３に進む。
【０２８６】
ステップＳ１０３において、図１３のステップＳ１３における場合と同様に、クラスコード発生部５４は、クラスタップ抽出部５３からのクラスタップを構成する画素の画素値（レベル）に基づき、注目画素をクラス分類し、その結果得られるクラスに対応する空間または時間クラスコードを発生する。そして、クラスコード発生部５４は、その空間または時間クラスコードを、クラスコード発生部３０３に供給して、ステップＳ１０４に進む。
【０２８７】
ステップＳ１０４では、動きベクトル検出部３０１が、注目画素のフレームと同一のフレームの第１の画像信号の動きベクトルを検出し、クラスコード発生部３０２に供給して、ステップＳ１０５に進む。
【０２８８】
ステップＳ１０５では、クラスコード発生部３０２は、動きベクトル検出部３０１から供給される動きベクトルに基づき、注目画素をクラス分類し、その結果得られるクラスに対応する動きクラスコードを発生する。そして、クラスコード発生部３０２は、その動きクラスコードを、クラスコード発生部３０３に供給して、ステップＳ１０６に進む。
【０２８９】
ここで、動きベクトル検出部３０１では、クラスタップ抽出部５３で得られたクラスタップの動きを表すベクトルを検出し、クラスコード発生部３０２では、そのクラスタップの動きベクトルに基づいて、注目画素をクラスに分類するようにすることも可能である。
【０２９０】
ステップＳ１０６では、クラスコード発生部３０３は、クラスコード発生部５４からの注目画素の空間または時間クラスコードと、クラスコード発生部３０２からの注目画素の動きクラスコードとに基づき、注目画素の最終的なクラスを表すクラスコードを発生し、係数発生部５５に供給して、ステップＳ１０７に進む。
【０２９１】
ステップＳ１０７では、図１３のステップＳ１４における場合と同様に、係数発生部５５（図１２）のスイッチ制御回路７１が、ディスプレイパネル３の位置を認識する。即ち、スイッチ制御回路７１は、コントローラ３１（図８）から供給される位置情報を受信し、その位置情報が表すディスプレイパネル３の位置を認識する。
【０２９２】
そして、ステップＳ１０７からＳ１０８に進み、図１３のステップＳ１５における場合と同様に、スイッチ制御回路７１は、コントローラ３１から供給された位置情報から認識したディスプレイパネル３の位置に対応する係数発生回路８１mを、図１２のM個の係数発生回路８１1乃至８１Mの中から選択して、ステップＳ１０９に進む。ステップＳ１０９では、スイッチ制御回路７１によって選択された係数発生回路８１mは、クラスコード発生部３０３から供給されるクラスコードに対応するクラスのタップ係数を、予測演算部５６に供給して、ステップＳ１１０に進む。
【０２９３】
ステップＳ１１０では、図１３のステップＳ１７における場合と同様に、予測演算部５６は、予測タップ抽出部５１が出力する予測タップと、係数発生部５５が出力するタップ係数とを取得し、その予測タップとタップ係数とを用いて、注目画素の真値の予測値を求める式（１）の予測演算を行う。これにより、予測演算部５６は、注目画素の画素値（の予測値）、即ち、第２の画像信号を構成する画素の画素値を出力する。
【０２９４】
図２０の画像変換処理は、第２の画像信号を構成する画素を、順次、注目画素として行われる。
【０２９５】
以上のように、パーティションTVは、画像を表示するディスプレイパネル３、ユーザからの操作入力（リモコン１０からの操作信号）を受け付けるリモコンI/F３４、およびアクチュエータ４３を駆動することにより、ディスプレイパネル３を移動させる駆動制御部４２を有し、駆動制御部４２は、リモコンI/F３４において受け付けられた操作入力に基づいて、ディスプレイパネル３を移動させることにより、パーティションとしての配置状態を変更するので、画像を表示するテレビジョン受像機（ディスプレイ装置）とパーティションの両方として機能する利便性の高い装置を提供することができる。
【０２９６】
なお、パーティションTVは、入力される信号を信号処理する信号処理手段としての、例えば動きベクトル検出部４１（または動きベクトル検出部３０１）と、ユーザからの操作入力を受け付ける受付手段としての、例えばリモコンI/F３４と、動きベクトル検出部４１による処理（信号処理）において得られる信号としての動きベクトル、またはリモコンI/F３４において受け付けられた操作入力に基づいて、パーティションTV（の天板２や、ディスプレイパネル３、支えパネル５）を駆動するアクチュエータ４３を制御する駆動制御手段としての、例えば駆動制御部４２とを有し、テレビジョン受像機とパーティションとの両方として機能する信号処理装置と捉えることができる。
【０２９７】
但し、かかる信号処理装置において、信号処理手段は、動きベクトル検出部４１に限定されるものではなく、受付手段は、リモコンI/F３４に限定されるものではない。さらに、信号処理装置は、テレビジョン受像機が行う信号処理以外の信号処理を行う装置と、パーティション以外の家具との両方、さらには、その他の物の複数の物として機能する装置であってもよい。
【０２９８】
そこで、図２１および図２２は、テレビジョン受像機と空調（空気調節）装置との両方として機能する信号処理装置である空調TVの構成例を示す斜視図である。
【０２９９】
なお、図２１は、空調TVを正面側から見た斜視図であり、図２２は、空調TVを背面側から見た斜視図である。
【０３００】
ここで、空調TVは、その厚み（奥行き方向の長さ）を、ある程度薄くすることにより、パーティションTVと同様に、家具としてのパーティションとして機能させることができる。
【０３０１】
しかしながら、空調TVをパーティションとしても機能させることとした場合、放熱に関して問題が生じることがある。
【０３０２】
即ち、テレビジョン受像機その他の電子回路（電気回路）を有する装置においては、電子回路に電流が流れることにより熱を発し、温度が上昇するため、その温度の上昇を防止すべく、放熱のための対策がとられる。例えば、一般のテレビジョン受像機は、その背面側から熱を放出するように構成される。
【０３０３】
パーティションとしても機能する空調TVも、一般のテレビジョン受動機と同様に、その背面側から、単純に、熱を放出するように構成することができるが、この場合、パーティションとしての空調TVの背面側にいるユーザに対して、空調TVからの熱の放出により、特に夏などの暑い時期に不快感を与えることになる。
【０３０４】
一方、冬などの寒い時期において暖をとる手段としては、例えば、エアコン（エアコンディショナ）がある。しかしながら、エアコンは、一般に、部屋の高い位置に取り付けられるため、エアコンによる暖房では、暖かい空気が、部屋の上部にたまる傾向があり、床付近が暖まりにくいことがある。
【０３０５】
そこで、図２１および図２２の空調TVでは、熱を放出する方向（放熱の方向）を適応的に変更することができるようになっている。
【０３０６】
即ち、空調TVにおいては、図２１に示すように、その正面に、例えば、液晶パネルで構成され、あるいは、プラズマ方式で画像を表示する表示部４０１が設けられている。
【０３０７】
また、空調TVでは、図２１および図２２に示すように、その上部に、熱を放出する、例えば、長方形状の放熱口４０２が設けられている。さらに、空調TVでは、図２２に示すように、その背面の下部に、熱を放出する、例えば、長方形状の放熱口４０３が設けられている。
【０３０８】
次に、図２３は、図２１および図２２の空調TVを右側面から見た断面図である。
【０３０９】
空調TVの正面側、即ち、表示部４０１が設けられている側には、信号処理を行う電子回路（電気回路）である回路ブロック４１１が配置されている。回路ブロック４１１は、空調TVを、テレビジョン受像機として機能させるための信号処理、さらには、後述する熱処理部４１２を制御することにより、空調TVを空調装置として機能させるための信号処理を行う。
【０３１０】
熱処理部４１２は、回路ブロック４１１が発する熱を処理する。
【０３１１】
即ち、回路ブロック４１１が信号処理を行うために、回路ブロック４１１を構成する電子回路には、電流が流れるが、この電流が流れることにより熱が発生する。熱処理部４１２は、回路ブロック４１１が発生する熱を処理する。ここで、回路ブロック４１１は、このように熱を発生するので、熱源であるということができる。
【０３１２】
熱処理部４１２は、空調TVの背面側に設けられている。そして、熱処理部４１２の、空調TVの正面側には、熱源としての回路ブロック４１１が発する熱（により暖められた空気）を取り込む吸気口４２１が設けられている。
【０３１３】
熱処理部４１２において、吸気口４２１から取り込まれた熱は、放熱用ダクト４２２に導かれる。放熱用ダクト４２２は、吸気口４２１から取り込まれた熱を放出するための筒状のダクトで（但し、その断面形状は問わない）、空調TVの上部に設けられた放熱口４０２（図２１、図２２）と、背面の下部に設けられた４０３（図２２）に通じている。従って、吸気口４２１から取り込まれた熱は、放熱用ダクト４２２を介して、放熱口４０２または４０３から放出される。
【０３１４】
熱処理部４１２の、空調TVの背面側には、断熱材４２３が配置されており、これにより、放熱用ダクト４２２を通る熱が、空調TVの背面側から放出されることを防止するようになっている。従って、空調TVの背面側から、（意図しない）熱が放出されることによって、空調TVの背面側にいるユーザが不快感を感じることを防止することができる。
【０３１５】
また、熱処理部４１２において、放熱用ダクト４２２の、放熱口４０２の付近には、冷却パイプ４２４が設けられている。
【０３１６】
即ち、放熱口４０２の付近の、放熱用ダクト４２２の外側には、筒状の放熱用ダクト４２２を囲むように、冷却パイプ４２４が配置されている。冷却パイプ４２４の中には、冷却液が充填されており、この冷却パイプ４２４の中の冷却液が循環する（流れる）ことにより、放熱用ダクト４２２から、放熱口４０２を介して放出される熱が冷却される。
【０３１７】
さらに、熱処理部４１２において、断熱材４２３の、吸気口４２１に対向する部分の上側と下側には、温度センサ４２５Ｕと４２５Ｄが、それぞれ取り付けられている。温度センサ４２５Ｕは、放熱用ダクト４２２を通って、上側の放熱口４０２から放出される熱（空気）の温度をセンシングする。一方、温度センサ４２５Ｄは、放熱用ダクト４２２を通って、下側の放熱口４０３から放出される熱（空気）の温度をセンシングする。
【０３１８】
また、熱処理部４１２において、放熱用ダクト４２２内の、吸気口４２１の上側には、放熱用ダクト４２２から、上側の放熱口４０２に向かう熱（空気）を遮断するための平板形状のふた部４２６Ｕが設けられている。ふた部４２６Ｕの端部の一部は、放熱用ダクト４２２内の、吸気口４２１側の上部に設けられた軸４２７Ｕに取り付けられている。ふた部４２６Ｕは、軸４２７Ｕを中心として回動可能となっており、これにより、ふた部４２６Ｕは、矢印ａ１で示すように開閉することができるようになっている。なお、図２３では、ふた部４２６Ｕは、閉じた状態になっている。
【０３１９】
閉じた状態のふた部４２６Ｕにおいて、その下側の面には、ファン４２８Ｕが設けられている。即ち、閉じた状態のふた部４２７Ｕにおいて、その下側の面には、軸４２９Ｕが取り付けられており、ファン４２８Ｕは、その軸４２９Ｕを中心として回転し、下向きの風が流れるように取り付けられている。
【０３２０】
さらに、熱処理部４１２において、放熱用ダクト４２２内の、吸気口４２１の下側には、放熱用ダクト４２２から、下側の放熱口４０２に向かう熱（空気）を遮断するための平板形状のふた部４２６Ｄが設けられている。ふた部４２６Ｄの端部の一部は、放熱用ダクト４２２内の、吸気口４２１側の下部に設けられた軸４２７Ｄに取り付けられている。ふた部４２６Ｄは、軸４２７Ｄを中心として回動可能となっており、これにより、ふた部４２６Ｄは、矢印ａ２で示すように開閉することができるようになっている。なお、図２３では、ふた部４２６Ｄは、閉じた状態になっている。
【０３２１】
閉じた状態のふた部４２６Ｄにおいて、その上側の面には、ファン４２８Ｄが設けられている。即ち、閉じた状態のふた部４２６Ｄにおいて、その上側の面には、軸４２９Ｄが取り付けられており、ファン４２８Ｄは、その軸４２９Ｄを中心として回転し、上向きの風が流れるように取り付けられている。
【０３２２】
なお、ふた部４２６Ｄに取り付けられた軸４２９Ｄは、ふた部４２６Ｄに対する角度を、例えば、数度乃至数十度程度だけ変化させることができるようになっており、これにより、ファン４２８Ｄが回転することにより流れる風の風向きを変えることができるようになっている。
【０３２３】
熱処理部４１２においては、ファン４２８Ｕおよび４２８Ｄの他に、ファン４２８Ｃが、放熱用ダクト４２２内の、吸気口４２１に対向する位置に設けられている。即ち、放熱用ダクト４２２内の、吸気口４２１に対向する位置（の内壁）には、軸４２９Ｃが取り付けられており、ファン４２８Ｃは、その軸４２９Ｃを中心として回転し、吸気口４２１側に向かう風が流れるように取り付けられている。
【０３２４】
なお、軸４２９Ｃは、軸４２９Ｄと同様に、放熱用ダクト４２２の内壁に対する角度を、例えば、数度乃至数十度程度だけ変化させることができるようになっており、これにより、ファン４２８Ｃが回転することにより流れる風の風向きを変えることができるようになっている。
【０３２５】
以上のように構成される空調TVでは、回路ブロック４１１が発する熱を放出する方向を、例えば、（日本国の）季節に応じて適応的に変更するようになっている。
【０３２６】
即ち、空調TVは、その動作モードとして、例えば、季節が春、夏、秋、冬である場合にそれぞれ適した春モード、夏モード、秋モード、冬モードの４つを有している。
【０３２７】
図２４は、動作モードが、春モードまたは夏モードである場合の空調TVの状態を示す、図２３と同様の断面図である。
【０３２８】
春モードまたは夏モードにおいては、上側のふた部４２６Ｕが開いた状態となり、下側のふた部４２６Ｄが閉じた状態となる。これにより、吸気口４２１から取り込まれた熱が、放熱用ダクト４２２を介して、上側の放熱口４０２から放出されるルートが確保されるとともに、下側の放熱口４０３から放出されるルートが遮断される。
【０３２９】
さらに、春モードまたは夏モードでは、ファン４２８Ｃの軸４２９Ｃが傾き、これにより、ファン４２８Ｃによる風の風向きが斜め上方向とされる。
【０３３０】
そして、ファン４２８Ｃが回転し、斜め上方向に向かう風が流れ、これにより、吸気口４２１から取り込まれた熱が、上側の放熱口４０２から放出される。
【０３３１】
さらに、必要に応じて、冷却パイプ４２４内の冷却液が循環し、また、ファン４２８Ｄが回転する。
【０３３２】
冷却パイプ４２４内の冷却液が循環することにより、上側の放熱口４０２から放出される熱は冷却される。また、ファン４２８Ｄが回転することにより、図２４において上向きの風が流れ、その結果、吸気口４２１から取り込まれた熱（空気）は、より迅速に、上側の放熱口４０２から放出される。
【０３３３】
以上のように、春モードまたは夏モードにおいては、上側の放熱口４０２から、上向きに熱が放出されるので、例えば、夏などの暑い時期に、空調TVから放出される熱によって、空調TVの背面側にいるユーザが、不快感を感じることを防止することができる。
【０３３４】
次に、図２５は、動作モードが、秋モードまたは冬モードである場合の空調TVの状態を示す、図２３と同様の断面図である。
【０３３５】
秋モードまたは冬モードにおいては、上側のふた部４２６Ｕが閉じた状態となり、下側のふた部４２６Ｄが開いた状態となる。これにより、吸気口４２１から取り込まれた熱が、放熱用ダクト４２２を介して、上側の放熱口４０２から放出されるルートが遮断されるとともに、下側の放熱口４０３から放出されるルートが確保される。
【０３３６】
さらに、秋モードまたは冬モードでは、ファン４２８Ｃの軸４２９Ｃが傾き、これにより、ファン４２８Ｃによる風の風向きが斜め下方向とされる。
【０３３７】
そして、ファン４２８Ｃと４２８Ｕが回転し、下方向に向かう風が流れ、これにより、吸気口４２１から取り込まれた熱が、下側の放熱口４０３から放出される。
【０３３８】
さらに、必要に応じて、開いているふた部４２６Ｄに取り付けられているファン４２８Ｄの軸４２９Ｄが傾き、これにより、ファン４２８Ｄによる風の風向きが斜め下方向とされ、ファン４２８Ｄが回転する。
【０３３９】
この場合、下方向に向かう風が、さらに強くなり、その結果、吸気口４２１から取り込まれた熱（空気）は、より迅速に、下側の放熱口４０３から放出される。
【０３４０】
以上のように、秋モードまたは冬モードにおいては、熱が、下側の放熱口４０３から放出されるので、例えば、冬などの寒い時期に、床付近を効率的に暖めることができる。即ち、回路ブロック４１１が発する熱を効率的に利用した暖房を実現することができる。
【０３４１】
なお、図２３乃至図２５には図示していないが、熱処理部４１２には、モータ等のアクチュエータが必要に応じて取り付けられている。ファン４２８Ｃ，４２８Ｄ，４２８Ｕを回転させることや、軸４２９Ｃ，４２９Ｄを傾かせること、ふた部４２６Ｄ，４２６Ｕを開閉させること、冷却パイプ４２４内の冷却液を循環させることは、熱処理部４１２に取り付けられたアクチュエータの駆動によって行われる。
【０３４２】
次に、図２６は、図２３の回路ブロック４１１の電気的構成例を示している。
【０３４３】
回路ブロック４４１は、TV部４４０と空調部４４１とから構成される。
【０３４４】
TV部４４０は、空調TVを、テレビジョン受像機として機能させるための信号処理を行う。
【０３４５】
空調部４４１は、温度情報受信部４４２、信号受信部４４３、および制御部４４４で構成され、熱処理部４１２（図２３）を制御する。
【０３４６】
即ち、温度情報受信部４４２は、熱処理部４１２（図２３）に設けられた温度センサ４２５Ｕおよび４２５Ｄが出力する、放熱ダクト４２２内の温度を表す温度情報を受信し、制御部４４４に供給する。
【０３４７】
信号受信部４４３は、例えば、空調TVを遠隔操作するための、ユーザによって操作されるリモコン４４５からの操作信号（ユーザがリモコンを操作した場合の、その操作に対応する信号）を受信し、制御部４４４に供給する。
【０３４８】
制御部４４４は、CPU４４４Ａ，ROM４４４Ｂ，RAM４４４Ｃ，EEPROM４４４Ｄなどで構成される。CPU４４４Ａは、ROM４４４ＢやEEPROM４４４Ｄに記憶されたプログラム、あるいはRAM４４４Ｃにロードされたプログラムを実行する。ROM４４４Ｂは、制御部４４４に電源が供給されたときに、CPU４４４Ａが最初に実行すべきプログラムや必要なデータを記憶している。EEPROM４４４Ｄは、CPU４４４Ａが実行する各種のアプリケーションプログラムや必要なデータを記憶する。RAM４４４Ｃには、CPU４４４Ａが実行するアプリケーションプログラムが、EEPROM４４４Ｄからロードされ、また、CPU４４４Ａの動作上必要なデータが記憶される。
【０３４９】
制御部４４４においては、CPU４４４Ａが、ROM４４４ＢやEEPROM４４４Ｄに記憶されたプログラム、あるいはRAM４４４Ｃにロードされたプログラムを実行することにより、後述する処理を含む各種の処理を実行し、これにより、例えば、冷却アクチュエータ４５１、ファンアクチュエータ４５２Ｕ，４５２Ｃ，４５２Ｄ、ふたアクチュエータ４５３Ｕ，４５３Ｄの駆動を制御する。
【０３５０】
なお、CPU４４４Ａに実行させるプログラムは、ROM４４４ＢやEEPROM４４４Ｄにあらかじめインストールしておくことができる。また、プログラムは、例えば、フレキシブルディスク、CD-ROM，MOディスク，DVD、磁気ディスク、半導体メモリなどのリムーバブル記録媒体に、一時的あるいは永続的に格納（記録）し、いわゆるパッケージソフトウエアとして提供することができる。
【０３５１】
さらに、プログラムは、ダウンロードサイトから、ディジタル衛星放送用の人工衛星を介して、空調TVに無線で転送したり、LAN(Local Area Network)、インターネットといったネットワークを介して、空調TVに有線で転送し、空調TVでは、そのようにして転送されてくるプログラムを受信し、EEPROM４４４Ｄにインストールすることができる。
【０３５２】
冷却アクチュエータ４５１、ファンアクチュエータ４５２Ｕ，４５２Ｃ，４５２Ｄ、ふたアクチュエータ４５３Ｕ，４５３Ｄは、熱処理部４１２に設けられている図２３乃至図２５には図示していないアクチュエータである。
【０３５３】
冷却アクチュエータ４５１は、制御部４４４からの制御にしたがって駆動し、冷却パイプ４２４（図２３）内の冷却液を循環させる。
【０３５４】
ファンアクチュエータ４５２Ｕ，４５２Ｃ，４５２Ｄは、制御部４４４からの制御にしたがって駆動し、それぞれ、ファン４２８Ｕ，４２８Ｃ，４２８Ｄを回転させる。さらに、ファンアクチュエータ４５２Ｃと４５２Ｄは、制御部４４４からの制御にしたがって、それぞれ、軸４２９Ｃと４２９Ｄを傾かせる（軸４２９Ｃと４２９Ｄの傾きを変更させる）。
【０３５５】
ふたアクチュエータ４５３Ｕと４５３Ｄは、制御部４４４からの制御にしたがって駆動し、それぞれ、ふた部４２６Ｕと４２６Ｄを開閉させる。
【０３５６】
次に、図２７のフローチャートを参照して、空調TVの動作について説明する。
【０３５７】
例えば、ユーザが、空調TVの電源をオンにするように、リモコン４４５を操作すると、リモコン４４５から、その操作に対応した操作信号が送信され、信号受信部４４３で受信されて、制御部４４４に供給される。制御部４４４は、信号受信部４４３から、電源をオンする旨の操作信号が供給されると、ステップＳ２０１において、空調TVの各ブロックに対して、図示せぬ電源からの必要な電力の供給を開始させ、ステップＳ２０２に進む。
【０３５８】
ステップＳ２０２では、制御部４４４は、動作モードを設定する。
【０３５９】
即ち、例えば、リモコン４４５には、動作モードを入力するためのキーが設けられており、ユーザが、そのキーを操作することにより、その操作に対応した操作信号が、信号受信部４４３で受信され、制御部４４４に供給された場合には、ステップＳ２０２では、制御部４４４は、信号受信部４４３からの操作信号に対応する動作モードを設定する。具体的には、操作信号が、春モード、夏モード、秋モード、冬モードを表している場合には、制御部４４４は、例えば、EEPROM４４４Ｄに記憶されている、動作モードを表すフラグに、操作信号に対応する動作モードを表す情報をセットする。
【０３６０】
また、図示せぬエアコンのリモコンが操作された場合には、信号受信部４４３において、そのリモコンの操作に対応する操作信号を受信し、制御部４４４に供給するようにすることができる。この場合、エアコンのリモコンからの操作信号が、冷房をオンまたはオフすることを表しているときには、制御部４４４は、ステップＳ２０２において、動作モードを夏モードに設定する。また、エアコンのリモコンからの操作信号が、暖房をオンまたはオフすることを表しているときには、制御部４４４は、ステップＳ２０２において、動作モードを冬モードに設定する。
【０３６１】
ステップＳ２０２において、動作モードが設定された後は、ステップＳ２０３に進み、制御部４４４は、現在の動作モードが、春モード、夏モード、秋モード、冬モードのうちのいずれであるかを判定する。
【０３６２】
ステップＳ２０３において、動作モードが、春モードまたは夏モードのうちのいずれかであると判定された場合、即ち、EEPROM４４４Ｄの、動作モードを表すフラグに、春モードまたは夏モードを表す情報がセットされている場合、ステップＳ２０４に進み、制御部４４４は、熱処理部４１２（図２３）の上側に取り付けられたファン（以下、適宜、上側ファンともいう）４２８Ｕ、下側に取り付けられたファン（以下、適宜、下側ファンともいう）４２８Ｄ、またはその中間に取り付けられたファン（以下、適宜、センタファンともいう）４２８Ｃのうちの、センタファン４２８Ｃによる風の風向きが斜め上向きになるように、そのセンタファン４２８Ｃの軸４２９Ｃを傾かせるファンアクチュエータ４５２Ｃを駆動し、ステップＳ２０５に進む。
【０３６３】
これにより、センタファン４２８Ｃの軸４２９Ｃは、図２４に示したように、センタファン４２８Ｃによる風の風向きが斜め上向きになるように傾く。
【０３６４】
さらに、ステップＳ２０４では、制御部４４４は、センタファン４２８Ｃを回転させるファンアクチュエータ４５２Ｃを駆動することにより、センタファン４２８Ｃを回転させる。
【０３６５】
これにより、放熱ダクト４２２内に、上向きの風が流れる。
【０３６６】
ステップＳ２０５では、制御部４４４は、熱処理部４１２（図２３）の上側のふた部４２６Ｕを開閉するふたアクチュエータ４５３Ｕを駆動することにより、その上側のふた部４２６Ｕを開くとともに、下側のふた部４２６Ｄを開閉するふたアクチュエータ４５３Ｄを駆動することにより、その下側のふた部４２６Ｄを閉じる。
【０３６７】
これにより、図２４に示したように、吸気口４２１から取り込まれた熱が、放熱用ダクト４２２を介して、上側の放熱口４０２から放出されるルートが確保されるとともに、下側の放熱口４０３から放出されるルートが遮断される。
【０３６８】
以上のようにして、春モードまたは夏モードにおいては、放熱ダクト４２２内に、上向きの風が流れ、さらに、吸気口４２１から取り込まれた熱が、放熱用ダクト４２２を介して、上側の放熱口４０２から放出されるルートが確保されるとともに、下側の放熱口４０３から放出されるルートが遮断される。
【０３６９】
その結果、吸気口４２１から取り込まれた熱は、下側の放熱口４０３から放出されずに、上側の放熱口４０２のみから、上方向に放出される。従って、空調TVの背面側にいるユーザが、回路ブロック４１１が発する熱によって不快感を感じることを防止することができる。
【０３７０】
ステップＳ２０５の処理後は、ステップＳ２０６に進み、制御部４４４は、現在の動作モードが、春モードまたは夏モードのうちのいずれであるかを判定する。
【０３７１】
ステップＳ２０６において、動作モードが夏モードであると判定された場合、ステップＳ２０７に進み、制御部４４４は、冷却アクチュエータ４５１を駆動することにより、冷却パイプ４２４内の冷却液を循環させ、ステップＳ２０９に進む。
【０３７２】
これにより、吸気口４２１から取り込まれた熱は、上側の放熱口４０２から放出される直前に、冷却パイプ４２４内の冷却液によって冷却され、その後、上側の放熱口４０２から放出される。即ち、夏モードが適した夏のような暑い時期においては、上側の放熱口４０２から放出した熱が、空調TVの背面側にいるユーザに対して、いわば直接的に不快感を与えなくても、部屋全体の温度の上昇に寄与し、その結果、いわば間接的に不快感を与えるおそれがある。そこで、夏モードにおいては、吸気口４２１から取り込まれた熱が、冷却パイプ４２４内の冷却液によって冷却されてから、上側の放熱口４０２から放出される。
【０３７３】
一方、ステップＳ２０６において、動作モードが春モードであると判定された場合、ステップＳ２０８に進み、制御部４４４は、冷却アクチュエータ４５１を制御することにより、冷却パイプ４２４内の冷却液の循環を停止させ、ステップＳ２０９に進む。なお、冷却パイプ４２４内の冷却液の循環が行われていない場合は、ステップＳ２０８の処理はスキップされる。
【０３７４】
ステップＳ２０９では、温度情報受信部４４２は、上側の温度センサ４２５Ｕと、下側の温度センサ４２５Ｄのうちの、上側の温度センサ４２５Ｕからの温度情報、即ち、吸気口４２１から取り込まれ、上側の放熱口４０２から放出される熱（空気）の温度を表す温度情報を受信し、制御部４４４に供給して、ステップＳ２１０に進む。
【０３７５】
ステップＳ２１０では、制御部４４４は、上側の温度センサ４２５Ｕからの温度情報が表す温度が、所定の閾値以上であるかどうかを判定する。
【０３７６】
ステップＳ２１０において、上側の温度センサ４２５Ｕからの温度情報が表す温度が、所定の閾値以上であると判定された場合、ステップＳ２１１に進み、制御部４４４は、図２４に示したように閉じている下側のふた部４２６Ｄに取り付けられている下側ファン４２８Ｄを回転させるファンアクチュエータ４５２Ｄを駆動することにより、下側ファン４２８Ｄを回転させ、ステップＳ２１４に進む。
【０３７７】
従って、吸気口４２１から取り込まれ、上側の放熱口４０２から放出される熱（空気）の温度が高い場合には、センタファン４２８Ｃと下側ファン４２８Ｄとが回転することにより、より風力の強い風が上向きに流れ、これにより、吸気口４２１から取り込まれた熱（空気）は、より迅速に、上側の放熱口４０２から放出される。
【０３７８】
ここで、吸気口４２１から取り込まれた熱（により暖められた空気）は、ファンなどによって上向きの風を流さなくても上昇していくので、ステップＳ２０４では、センタファン４２８Ｃと下側ファン４２８Ｄとのうちの、センタファン４２８Ｃだけを回転させ、下側ファン４２８Ｄを回転させなかったが、ステップＳ２０４において、センタファン４２８Ｃと下側ファン４２８Ｄの両方を回転させてもよい。
【０３７９】
なお、ステップＳ２１１の処理を行う際に、下側ファン４２８Ｄが、既に回転しているときには、ステップＳ２１１の処理はスキップされる。
【０３８０】
一方、ステップＳ２１０において、上側の温度センサ４２５Ｕからの温度情報が表す温度が、所定の閾値以上でないと判定された場合、ステップＳ２１２に進み、制御部４４４は、下側ファン４２８Ｄが回転しているかどうかを判定する。ステップＳ２１２において、下側ファン４２８Ｄが回転していないと判定された場合、ステップＳ２１３をスキップして、ステップＳ２１４に進む。
【０３８１】
また、ステップＳ２１２において、下側ファン４２８Ｄが回転していると判定された場合、即ち、上側の温度センサ４２５Ｕからの温度情報が表す温度、つまり、吸気口４２１から取り込まれ、上側の放熱口４０２から放出される熱（空気）の温度が低く、それほど迅速に排出する必要がないのに、下側ファン４２８Ｄが回転している場合、ステップＳ２１３に進み、制御部４４４は、ファンアクチュエータ４５３Ｄを制御することにより、下側ファン４２８Ｄの回転を停止させ、ステップＳ２１４に進む。
【０３８２】
ステップＳ２１４では、制御部４４４は、空調TVの電源をオフにするように指示があったかどうかを判定する。ステップＳ２１４において、空調TVの電源をオフにするように指示があったと判定された場合、即ち、例えば、ユーザが、空調TVの電源をオフにするように、リモコン４４５を操作し、リモコン４４５から、その操作に対応した操作信号が送信され、信号受信部４４３で受信されて、制御部４４４に供給された場合、ステップＳ２２６に進み、制御部４４４は、空調TVの各ブロックに対して、図示せぬ電源からの必要な電力の供給を停止させ、処理を終了する。
【０３８３】
また、ステップＳ２１４において、空調TVの電源をオフにする指示がなかったと判定された場合、ステップＳ２１５に進み、制御部４４４は、空調TVの動作モードを変更する指示があったかどうかを判定する。
【０３８４】
ステップＳ２１５において、空調TVの動作モードを変更する指示がなかったと判定された場合、ステップＳ２０９に戻り、以下、同様の処理が繰り返される。
【０３８５】
また、ステップＳ２１５において、空調TVの動作モードを変更する指示があったと判定された場合、即ち、例えば、ユーザが、リモコン４４５における動作モードを入力するためのキーを操作し、リモコン４４５から、その操作に対応した操作信号が送信され、信号受信部４４３で受信されて、制御部４４４に供給された場合、ステップＳ２０２に戻り、動作モードを変更する指示にしたがって、動作モードが設定（変更）され、以下、同様の処理が繰り返される。
【０３８６】
一方、ステップＳ２０３において、動作モードが、秋モードまたは冬モードのうちのいずれかであると判定された場合、即ち、EEPROM４４４Ｄの、動作モードを表すフラグに、秋モードまたは冬モードを表す情報がセットされている場合、ステップＳ２１６に進み、制御部４４４は、熱処理部４１２（図２３）の上側ファン４２８Ｕ、下側ファン４２８Ｄ、またはセンタファン４２８Ｃのうちの、センタファン４２８Ｃによる風の風向きが斜め下向きになるように、そのセンタファン４２８Ｃの軸４２９Ｃを傾かせるファンアクチュエータ４５２Ｃを駆動し、ステップＳ２１７に進む。
【０３８７】
これにより、センタファン４２８Ｃの軸４２９Ｃは、図２５に示したように、センタファン４２８Ｃによる風の風向きが斜め下向きになるように傾く。
【０３８８】
さらに、ステップＳ２１６では、制御部４４４は、センタファン４２８Ｃを回転させるファンアクチュエータ４５２Ｃを駆動することにより、センタファン４２８Ｃを回転させる。
【０３８９】
これにより、放熱ダクト４２２内に、下向きの風が流れる。
【０３９０】
ステップＳ２１７では、制御部４４４は、熱処理部４１２（図２３）の上側のふた部４２６Ｕを開閉するふたアクチュエータ４５３Ｕを駆動することにより、その上側のふた部４２６Ｕを閉じるとともに、下側のふた部４２６Ｄを開閉するふたアクチュエータ４５３Ｄを駆動することにより、その下側のふた部４２６Ｄを開く。
【０３９１】
これにより、図２５に示したように、吸気口４２１から取り込まれた熱が、放熱用ダクト４２２を介して、上側の放熱口４０２から放出されるルートが遮断されるとともに、下側の放熱口４０３から放出されるルートが確保される。
【０３９２】
以上のようにして、秋モードまたは冬モードにおいては、放熱ダクト４２２内に、下向きの風が流れ、さらに、吸気口４２１から取り込まれた熱が、放熱用ダクト４２２を介して、上側の放熱口４０２から放出されるルートが遮断されるとともに、下側の放熱口４０３から放出されるルートが確保される。
【０３９３】
その結果、吸気口４２１から取り込まれた熱は、上側の放熱口４０２から放出されずに、下側の放熱口４０３のみから（床に沿って）放出される。従って、秋モードや冬モードが適した秋や冬などの気温が低い時期において、回路ブロック４１１が発する熱を有効に利用して、床付近を暖めることができる。
【０３９４】
ステップＳ２１７の処理後は、ステップＳ２１８に進み、制御部４４４は、図２５に示したように閉じている上側のふた部４２６Ｕに取り付けられている上側ファン４２８Ｕを回転させるファンアクチュエータ４５２Ｕを駆動することにより、上側ファン４２８Ｕを回転させ、ステップＳ２１９に進む。
【０３９５】
従って、この場合、センタファン４２８Ｃと上側ファン４２８Ｕとが回転し、より風力の強い風が下向きに流れ、これにより、吸気口４２１から取り込まれた熱（空気）は、より迅速に、下側の放熱口４０３から放出される。
【０３９６】
ここで、吸気口４２１から取り込まれた熱（により暖められた空気）は上昇する特性を有するため、熱を下側の放熱口４０３から放出する場合には、センタファン４２８Ｃと上側ファン４２８Ｕとを回転させ、より風力の強い風を下向きに流すようになっている。
【０３９７】
ステップＳ２１９では、温度情報受信部４４２は、上側の温度センサ４２５Ｕと、下側の温度センサ４２５Ｄのうちの、下側の温度センサ４２５Ｄからの温度情報、即ち、吸気口４２１から取り込まれ、下側の放熱口４０３から放出される熱（空気）の温度を表す温度情報を受信し、制御部４４４に供給して、ステップＳ２２０に進む。
【０３９８】
ステップＳ２２０では、制御部４４４は、下側の温度センサ４２５Ｄからの温度情報が表す温度が、所定の閾値以上であるかどうかを判定する。
【０３９９】
ステップＳ２２０において、下側の温度センサ４２５Ｄからの温度情報が表す温度が、所定の閾値以上であると判定された場合、ステップＳ２２１に進み、制御部４４４は、図２５に示したように開いている下側のふた部４２６Ｄに取り付けられている下側ファン４２８Ｄによる風の風向きが斜め下向きになるように、その下側ファン４２８Ｄの軸４２９Ｄを傾かせ、かつ下側ファン４２８Ｄを回転させるファンアクチュエータ４５２Ｄを駆動し、ステップＳ２２４に進む。これにより、放熱用ダクト４２２内に、より風力の強い下向きの風が流れる。
【０４００】
従って、吸気口４２１から取り込まれ、下側の放熱口４０３から放出される熱（空気）の温度が高い場合には、センタファン４２８Ｃおよび上側ファン４２８Ｕ、さらには、下側ファン４２８Ｄが回転することにより、より風力の強い風が下向きに流れ、これにより、吸気口４２１から取り込まれた熱（空気）は、より迅速（センタファン４２８Ｃおよび上側ファン４２８Ｕだけが回転している場合より迅速）に、下側の放熱口４０３から放出される。
【０４０１】
なお、ステップＳ２２１の処理を行う際に、下側ファン４２８Ｄが、既に回転しているときには、ステップＳ２２１の処理はスキップされる。
【０４０２】
一方、ステップＳ２２０において、下側の温度センサ４２５Ｄからの温度情報が表す温度が、所定の閾値以上でないと判定された場合、ステップＳ２２２に進み、制御部４４４は、下側ファン４２８Ｄが回転しているかどうかを判定する。ステップＳ２２２において、下側ファン４２８Ｄが回転していないと判定された場合、ステップＳ２２３をスキップして、ステップＳ２２４に進む。
【０４０３】
また、ステップＳ２２２において、下側ファン４２８Ｄが回転していると判定された場合、即ち、下側の温度センサ４２５Ｄからの温度情報が表す温度、つまり、吸気口４２１から取り込まれ、下側の放熱口４０３から放出される熱（空気）の温度が低く、それほど迅速に排出する必要がないのに、下側ファン４２８Ｄが回転している場合、ステップＳ２２３に進み、制御部４４４は、ファンアクチュエータ４５３Ｄを制御することにより、下側ファン４２８Ｄの回転を停止させ、ステップＳ２２４に進む。
【０４０４】
ステップＳ２２４では、制御部４４４は、ステップＳ２１４における場合と同様に、空調TVの電源をオフにするように指示があったかどうかを判定する。
【０４０５】
ステップＳ２２４において、空調TVの電源をオフにする指示がなかったと判定された場合、ステップＳ２２５に進み、制御部４４４は、ステップＳ２１５における場合と同様に、空調TVの動作モードを変更する指示があったかどうかを判定する。
【０４０６】
ステップＳ２２５において、空調TVの動作モードを変更する指示がなかったと判定された場合、ステップＳ２１９に戻り、以下、同様の処理が繰り返される。
【０４０７】
また、ステップＳ２２５において、空調TVの動作モードを変更する指示があったと判定された場合、ステップＳ２０２に戻り、動作モードを変更する指示にしたがって、動作モードが設定（変更）され、以下、同様の処理が繰り返される。
【０４０８】
一方、ステップＳ２２４において、空調TVの電源をオフにするように指示があったと判定された場合、ステップＳ２２６に進み、制御部４４４は、上述したように、空調TVの各ブロックに対して、図示せぬ電源からの必要な電力の供給を停止させ、処理を終了する。
【０４０９】
なお、空調TVの熱処理部４１２は、図２３で説明したように構成する他、例えば、図２８および図２９に示すように構成することができる。
【０４１０】
即ち、図２８および図２９は、図２１の空調TVを右側面から見た断面の他の例を示している。なお、図中、図２３における場合と対応する部分については、同一の符号を付してあり、以下では、その説明は、適宜省略する。即ち、図２８および図２９の空調TVは、熱処理部４１２が、冷却パイプ４３０をさらに設けて構成されている他は、図２３における場合と同様に構成されている。
【０４１１】
図２８および図２９において、冷却パイプ４３０は、放熱用ダクト４２２の、放熱口４０３の付近に設けられている。
【０４１２】
即ち、放熱口４０３の付近の、放熱用ダクト４２２の外側には、筒状の放熱用ダクト４２２を囲むように、冷却パイプ４３０が配置されている。冷却パイプ４３０の中には、冷却液が充填されており、この冷却パイプ４３０の中の冷却液が循環する（流れる）ことにより、放熱用ダクト４２２から、放熱口４０３を介して放出される熱が冷却される。
【０４１３】
図２８および図２９に示したように構成される空調TVでは、例えば、動作モードが秋モードである場合には、図２８に斜線を付して示すように、冷却パイプ４３０内の冷却液を循環させ、これにより、吸気口４２１から取り込まれた熱を、下側の放熱口４０３から放出する直前に、冷却パイプ４３０内の冷却液によって冷却し、その後、下側の放熱口４０３から放出する。
【０４１４】
即ち、秋モードが適した秋のような、それほど寒くない時期においては、部屋の中の暖房を行う必要がないことがあるので、秋モードにおいては、吸気口４２１から取り込まれた熱を、冷却パイプ４２４内の冷却液によって冷却してから、下側の放熱口４０３から放出するようにすることができる。
【０４１５】
一方、動作モードが冬モードである場合には、図２９に示すように、冷却パイプ４３０内の冷却液を循環させずに、これにより、吸気口４２１から取り込まれた熱を冷却しないで、下側の放熱口４０３から放出する。
【０４１６】
即ち、冬モードが適した冬のような寒い時期においては、部屋の中の暖房を行う必要があるので、冬モードにおいては、図２３の空調TVにおける場合と同様に、吸気口４２１から取り込まれた熱を冷却せずに、そのまま、下側の放熱口４０３から放出するようにすることができる。
【０４１７】
なお、図２１乃至図２９では、熱源となる回路ブロック４１１に、テレビジョン受像機の信号処理を行うTV部４４０を含ませるようにしたが、熱源となる回路ブロック４１１に含ませるブロックは、テレビジョン受像機の信号処理を行うブロックに限定されるものではなく、その他の信号処理を行うブロックであってもよい。この場合、回路ブロック４１１を含む全体の装置は、その回路ブロック４１１に含まれるブロックが行う信号処理に対応する機能を有するものとなる。
【０４１８】
また、本明細書において、フローチャートを参照して説明した各ステップの処理は、必ずしもフローチャートに記載された順序に沿って時系列に行う必要はなく、並列的あるいは個別に行ってもよい。
【図面の簡単な説明】
【０４１９】
【図１】本発明を適用したパーティションTVの一実施の形態の構成例を示す斜視図である。
【図２】ディスプレイパネル３が上方向に移動した状態のパーティションTVを示す斜視図である。
【図３】パーティションTVの設置状態の例を示す上面図である。
【図４】パーティションTVの設置状態の例を示す上面図である。
【図５】本発明を適用したパーティションTVの他の一実施の形態の構成例を示す斜視図である。
【図６】ディスプレイパネル３が右方向に移動した状態のパーティションTVを示す斜視図である。
【図７】ディスプレイパネル３が右上方向に移動した状態のパーティションTVを示す斜視図である。
【図８】パーティションTVの電気的構成例を示すブロック図である。
【図９】DRC部１７の構成例を示すブロック図である。
【図１０】タップ係数を学習する学習装置の構成例を示すブロック図である。
【図１１】学習装置による学習処理を説明するフローチャートである。
【図１２】係数発生部５５の構成例を示すブロック図である。
【図１３】DRC部１７による画像変換処理を説明するフローチャートである。
【図１４】パーティションモードが有効にされた場合のパーティションTVの動作を説明するフローチャートである。
【図１５】表示モードが有効にされた場合のパーティションTVの動作を説明するフローチャートである。
【図１６】パーティションモードが有効にされ、その後、表示モードが有効にされた場合のパーティションTVの動作を説明するフローチャートである。
【図１７】表示モードが有効にされ、その後、パーティションモードが有効にされた場合のパーティションTVの動作を説明するフローチャートである。
【図１８】パーティションTVの他の電気的構成例を示すブロック図である。
【図１９】DRC部２１７の構成例を示すブロック図である。
【図２０】DRC部２１７による画像変換処理を説明するフローチャートである。
【図２１】空調TVの構成例を示す斜視図である。
【図２２】空調TVの構成例を示す斜視図である。
【図２３】空調TVの構成例を示す右側断面図である。
【図２４】空調TVの構成例を示す右側断面図である。
【図２５】空調TVの構成例を示す右側断面図である。
【図２６】回路ブロック４１１の電気的構成例を示すブロック図である。
【図２７】空調TVの動作を説明するフローチャートである。
【図２８】空調TVの他の構成例を示す右側断面図である。
【図２９】空調TVの他の構成例を示す右側断面図である。
【符号の説明】
【０４２０】
１  架台，  ２  天板，  ３  ディスプレイパネル，  ３Ａ  表示部，  ４  支えパネル，  ４Ｌ，４Ｒ  軸，  ５  支えパネル，  ５Ｄ，５Ｕ  軸，  １０  リモコン，  １１  チューナ，  １２  復調部，  １３  エラー訂正処理部，  １４  デマルチプレクサ，  １５  ビデオデコーダ，  １６  オーディオデコーダ，  １７  DRC部，  １８  合成部，  １９  OSD部，  ２０  スピーカ，  ３１  コントローラ，  ３１Ａ  CPU，  ３１Ｂ  ROM，  ３１Ｃ  RAM，  ３１Ｄ  EEPROM，  ３２  キー入力部，  ３３  表示部，  ３４  リモコンI/F，  ３５  受光部，  ３６  通信I/F，  ４１  動きベクトル検出部，  ４２  駆動制御部，  ４３  アクチュエータ，  ５１  予測タップ抽出部，  ５２  クラス分類部，  ５３  クラスタップ抽出部，  ５４  クラスコード発生部，  ５５  係数発生部，  ５６  予測演算部，  ７１  スイッチ制御回路，  ７２，７３  スイッチ，  ８１1乃至８１M  係数発生回路，  １０１  教師データ生成部，  １０２  教師データ記憶部，  １０３  生徒データ生成部，  １０４  生徒データ記憶部，  １０５  予測タップ抽出部，  １０６  クラスタップ抽出部，  １０７  クラスコード発生部，  １０８  足し込み部，  １０９  タップ係数算出部，  ２１７  DRC部，  ３０１  動きベクトル検出部，  ３０２，３０３  クラスコード発生部，  ４０１  表示部，  ４０２，４０３  放熱口，  ４１１  回路ブロック，  ４１２  熱処理部，  ４２１  吸気口，  ４２２  放熱用ダクト，  ４２３  断熱材，  ４２４  冷却パイプ，  ４２５Ｄ，４２５Ｕ  温度センサ，  ４２６Ｄ，４２６Ｕ  ふた部，  ４２７Ｄ，４２７Ｕ  軸，  ４２８Ｃ，４２８Ｄ，４２８Ｕ  ファン，  ４２９Ｃ，４２９Ｄ，４２９Ｕ  軸，  ４３０  冷却パイプ，  ４４０  TV部，  ４４１  空調部，  ４４２  温度情報受信部，  ４４３  信号受信部，  ４４４  制御部，  ４４４Ａ  CPU，  ４４４Ｂ  ROM，  ４４４Ｃ  RAM，  ４４４Ｄ  EEPROM，  ４５１  冷却アクチュエータ，  ４５２Ｃ，４５２Ｄ，４５２Ｕ  ファンアクチュエータ，  ４５３Ｄ，４５３Ｕ  ふたアクチュエータ
【図１】
2006084894.tif 000011
【図２】
2006084894.tif 000012
【図３】
2006084894.tif 000013
【図４】
2006084894.tif 000014
【図５】
2006084894.tif 000015
【図６】
2006084894.tif 000016
【図７】
2006084894.tif 000017
【図８】
2006084894.tif 000018
【図９】
2006084894.tif 000019
【図１０】
2006084894.tif 000020
【図１１】
2006084894.tif 000021
【図１２】
2006084894.tif 000022
【図１３】
2006084894.tif 000023
【図１４】
2006084894.tif 000024
【図１５】
2006084894.tif 000025
【図１６】
2006084894.tif 000026
【図１７】
2006084894.tif 000027
【図１８】
2006084894.tif 000028
【図１９】
2006084894.tif 000029
【図２０】
2006084894.tif 000030
【図２１】
2006084894.tif 000031
【図２２】
2006084894.tif 000032
【図２３】
2006084894.tif 000033
【図２４】
2006084894.tif 000034
【図２５】
2006084894.tif 000035
【図２６】
2006084894.tif 000036
【図２７】
2006084894.tif 000037
【図２８】
2006084894.tif 000038
【図２９】
2006084894.tif 000039